(57)【要約】  トランスポートボックス  トランスポートボックス（１、１’、１’’）は、底部（７、７’）に対向する開口部（１７、１７’）を有するコンパートメント（２、２’、２’’）と、開口部の周縁端から延在する、開口部（１７、１７’）のための蓋（３、３’、３’’）とを備えることによって、ラップトレイに変形可能であるように構成される。底部（７、７’）は、前壁端部（４９、４９’）よりも短い後壁端部（４７、４７’）を有し、第１蓋部（８、８’）は、ラップトレイの役割を果たすためにトランスポートボックス（１、１’）の変形状態において、開口部（１７、１７’）から離れるようにして折り曲がるか、又は回動するように構成される。トランスポートボックス（１、１’）は、相互接続可能なパネルから構成されるブランク（３４、３４’、１０２）から製作される。トランスポートボックス（１、１’、１’’）は、三次元構成又は平面構成で積み重ねることができる。トランスポートボックス（１、１’、１’’）は、座しているユーザの脚の間に収容されることに特に適している。【選択図】図２及び図９
2016524573.tif 000002
【特許請求の範囲】
【請求項１】
‐  トランスポートボックス（１、１’）が、対向する側壁（６ａ、６ｂ、６ａ’、６ｂ’）、後壁（５、５’）に対向する前壁（４、４’）、及び底部（７、７’）によって画定されるコンパートメント（２、２’）を備え、
‐  前記壁（４、５、６ａ、６ｂ、４’、５’、６ａ’、６ｂ’）が、前記コンパートメント（２、２’）にアクセスするための、前記底部（７、７’）に対向する開口部（１７、１７’）の範囲を定め、
‐  前記開口部（１７、１７’）が、前記側壁（６ａ、６ｂ、６ａ’、６ｂ’）の対向する頂端（１０、１１、１０’、１１’）、前記後壁（４、４’）の頂端（１０８）、及び前記前壁（５、５’）の頂端（５９、１１０）によって画定される周縁端を有し、並びに
‐  前記開口部（１７、１７’）のための蓋（３、３’）が、前記開口部（１７、１７’）の前記周縁端から延在する第１蓋部（８、８’）を少なくとも備える、ラップトレイに変形可能であるように構成されるトランスポートボックス（１、１’）であって、
‐  前記底部（７、７’）が、前壁端部（４９、４９’）及び後壁端部（４７、４７’）を有し、前記後壁端部（４７、４７’）は前記前壁端部（４９、４９’）よりも短く、並びに
‐  前記第１蓋部（８、８’）が、ラップトレイの役割を果たすために前記トランスポートボックス（１、１’）の変形状態において、前記開口部（１７、１７’）から離れるようにして折り曲がるか、又は回動するように構成されることを特徴とする、トランスポートボックス（１、１’）。
【請求項２】
前記蓋（３、３’）が、第２蓋部（９、９’）を少なくとも備え、少なくとも１つの第１蓋部（８、８’）及び前記第２蓋部（９、９’）が、前記開口部（１７、１７’）の前記周縁端の異なる端部分から延在することを特徴とする、請求項１に記載のトランスポートボックス（１、１’）。
【請求項３】
前記少なくとも１つの第１蓋部（８、８’）及び前記第２蓋部（９、９’）が、前記側壁（６ａ、６ｂ、６ａ’、６ｂ’）のそれぞれの対向する頂端（１０、１１、１０’、１１’）から延在し、前記トランスポートボックス（１、１’）の変形状態において、互いから離れるようにして折り曲がるか、又は回動するように構成されることを特徴とする、請求項１又は２に記載のトランスポートボックス（１、１’）。
【請求項４】
前記それぞれの対向する側壁（６ａ、６ｂ、６ａ’、６ｂ’）のそれぞれの対向する面の少なくとも一部が、前記後壁（４、４’）から前記前壁（５、５’）への方向にかけて分岐することを特徴とする、請求項１から３のいずれか一項に記載のトランスポートボックス（１、１’）。
【請求項５】
前記底部（７、７’）が、単一のパネルであるか、又は、２つ以上の底部パネル部（３８、３９、４６、４８、３８’、３９’、４６’、４８’）で構成されることを特徴とする、請求項１から４のいずれか一項に記載のトランスポートボックス（１、１’）。
【請求項６】
前記蓋（３’）が、前記前壁（５’）の上端（１１０）から延在する第４蓋部（１０９）に対向する、前記後壁（４’）の上端（１０８）から延在する第３蓋部（１０７）を備えることを特徴とする、請求項１から５のいずれか一項に記載のトランスポートボックス（１’）。
【請求項７】
２つの対向する蓋部（２０、２１、１０７、１０９）が、搬送状態において接合され、取っ手（１２）の役割を果たすように構成されることを特徴とする、請求項２から６のいずれか一項に記載のトランスポートボックス（１、１’）。
【請求項８】
前記少なくとも１つの第１蓋部（８、８’）及び前記第２蓋部（９、９’）が、前記側壁（６ａ、６ｂ、６ａ’、６ｂ’）のそれぞれの対向する頂端（１０、１１、１０’、１１’）から延在し、両方の前記蓋部がラップトレイの役割を果たすことができるように、前記トランスポートボックス（１、１’）の変形状態において、互いから離れるようにして折り曲がるか、又は回動するように構成されることを特徴とする、請求項２から７のいずれか一項に記載のトランスポートボックス（１、１’）。
【請求項９】
前記側壁（６ａ、６ｂ、６ａ’、６ｂ’）のうちの少なくとも１つと前記コンパートメント（２、２’）の前記底部（７、７’）との間の内角βが、４５度と等しいか又は少なくとも４５度である、より好ましくは、７５度と等しいか又は少なくとも７５度である、最も好ましくは、９０度と等しいか又は少なくとも９０度であることを特徴とする、請求項１から８のいずれか一項に記載のトランスポートボックス（１、１’）。
【請求項１０】
前記底部（７、７’）の形状が、実質的に台形、好ましくは等脚台形であるか、又はそのように見えることを特徴とする、請求項１から９のいずれか一項に記載のトランスポートボックス（１、１’）。
【請求項１１】
前記底部（７、７’）に平行な面における前記コンパートメント（２、２’）の断面が、実質的に台形又は等脚台形の形状を有することを特徴とする、請求項１から９のいずれか一項に記載のトランスポートボックス（１、１’）。
【請求項１２】
前記第１蓋部（８、８’）、前記第２蓋部（９、９’）、前記第３蓋部（１０７）、及び前記第４蓋部（１０９）のうちの少なくとも１つは、前記蓋部（８、９、８’、９’）の面から離れる角度αで、それぞれの前記蓋部（８、９、８’、９’）の自由端部（２６、２７、２８、２９）の少なくとも一部から延在する少なくとも１つのリム（２４ａ、２４ｂ、２５ａ、２５ｂ、２４ａ’）が設けられることを特徴とする、請求項１から１１のいずれか一項に記載のトランスポートボックス（１、１’）。
【請求項１３】
２つの対向する蓋部（８、９、８’、９’）のうちの少なくとも１つが、開口部（１１２、１１５）を備え、任意選択的に前記開口部がヒンジフラップ（１３、１５、１１３）を有することを特徴とする、請求項２から１２のいずれか一項に記載のトランスポートボックス（１、１’）。
【請求項１４】
前記トランスポートボックス（１、１’）の前記変形状態において、前記ヒンジフラップ（１３、１５、１１３）が、対応する蓋部（８、９、１０７）における前記開口部（１１２）を覆うように適合されることを特徴とする、請求項１３に記載のトランスポートボックス（１、１’）。
【請求項１５】
前記第３蓋部（１０７）又は前記第４蓋部（１０９）のうちの１つが、ヒンジフラップ（１１３）を有する開口部（１１２）を有し、前記対向する蓋部（１０９）が、前記トランスポートボックス（１’）の前記搬送状態において前記ヒンジフラップ（１１３）と組み合わさるための開口部（１１２）を有することを特徴とする、請求項６から１４のいずれか一項に記載のトランスポートボックス（１’）。
【請求項１６】
前記トランスポートボックス（１、１’）が、前記コンパートメント（２、２’）の前記底部（７、７’）から間隔を置いた位置に上壁（３２）を有する、前記コンパートメント（２、２’）内に配置可能なインサート（３０、３０’）を更に備えることを特徴とする、請求項１から１５のいずれか一項に記載のトランスポートボックス（１、１’）。
【請求項１７】
前記上壁（３２）は、少なくとも１つのオブジェクトを保持するための少なくとも１つの開口部（３３）が設けられることを特徴とする、請求項１６に記載のトランスポートボックス（１、１’）。
【請求項１８】
前記コンパートメント（２、２’）の平断面及び前記インサート（３０、３０’）の前記上壁（３２）の平断面が、実質的に同じ形状と寸法を有することを特徴とする、請求項１６又は１７に記載のトランスポートボックス（１、１’）。
【請求項１９】
前記側壁（６ａ、６ｂ、６ａ’、６ｂ’）の高さが、５〜３０センチの間の長さ、又は１０〜２０センチの間の長さ、例えば、約１５センチの長さであることを特徴とする、請求項１から１８のいずれか一項に記載のトランスポートボックス（１、１’）。
【請求項２０】
前記側壁（６ａ、６ｂ、６ａ’、６ｂ’）、前記後壁（４、４’）、及び前記前壁（５、５’）から選択された壁のうちの少なくとも１つが、９０度を上回る内角β、より好ましくは、９０度を上回り、最大１２０度の内角β、９０度を上回り、最大１１０度の内角β、９０度を上回り、最大１００度の内角β、９０度を上回り、最大９５度の内角β、又は９２度から９５度の内角β、並びに最も好ましくは、９２度又は９５度の内角βで前記底部（７、７’）から延在することを特徴とする、請求項１から１９のいずれか一項に記載のトランスポートボックス（１、１’）。
【請求項２１】
前記トランスポートボックス（１、１’）が、三次元構成から平らな構成へと折り畳み可能であることを特徴とする、請求項１から２０のいずれか一項に記載のトランスポートボックス（１、１’）。
【請求項２２】
蓋（３’’）が、前記側壁（６ａ’’、６ｂ’’）のそれぞれの対向する頂端から延在し、且つ前記トランスポートボックス（１’’）の変形状態において、互いから離れるようにして折り曲がるか、又は回動するように構成される第１蓋部（１２６）及び第２蓋部（１２７）を備えるように修正され、前記第１蓋部（１２６）及び前記第２蓋部（１２７）のそれぞれが、前記トランスポートボックス（１’’）の前記変形状態において、座しているユーザの大腿部上に配置するための内側凹面を画定し、前記第１蓋部（１２６）及び前記第２蓋部（１２７）が、前記トランスポートボックス（１’’）の前記変形状態において互いに向かって湾曲する、請求項１から２１のいずれか一項に記載のトランスポートボックス（１’’）。
【請求項２３】
前記蓋（３’’）が、前記前壁（５’’）の前記頂端から延在し、且つ細長い突き抜けスリットを有する第４蓋部（１２９）を更に備え、前記スリットが、前記第１蓋部（１２６）及び前記第２蓋部（１２７）の自由上面前部（１３２、１３３）を受容するように配置且つ寸法形成されることを特徴とする、請求項２２に記載のトランスポートボックス（１’’）。
【請求項２４】
前記蓋（３’’）が、前記後壁（４’’）の前記頂端から延在し、且つ前記テーブルボックス（１’’）の前記搬送状態において前記コンパートメント（２’’）の開口部全体を覆うように寸法形成される第３蓋部（１２８）を更に備えることを特徴とする、請求項２２又は２３に記載のトランスポートボックス（１’’）。
【請求項２５】
請求項１から２１のいずれか一項に記載のトランスポートボックス（１、１’）のための第１ブランク（３４、３４’）であって、前記第１ブランク（３４、３４’）が、折り線を介して相互接続される複数のパネルを備え、前記パネルが、
‐  ２つの側壁パネル（６ａ、６ｂ、６ａ’、６ｂ’）のうちの１つ（６ａ、６ｂ’）を介して前壁パネル（５、５’）に接続される後壁パネル（４、４’）、
‐  前記２つの側壁パネル（６ａ、６ｂ、６ａ’、６ｂ’）のうちのいずれかの１つの側面から延在する蓋部パネル（１８、１９、８’、９’）、及び
‐  前記２つの側壁パネル（６ａ、６ｂ、６ａ’、６ｂ’）のうちのいずれかの対応する対向側面から延在する少なくとも１つの底部壁パネル（３８、３９、３８’、３９’）
を備えることを特徴とする、第１ブランク（３４、３４’）。
【請求項２６】
前記蓋部パネルが、
‐  前記トランスポートボックス（１、１’）の前記変形状態においてラップトレイとしてトレイ機能の役割を果たす少なくとも２つの対向するトレイ壁パネル（１８、１９、２０、２１、８’、９’）、及び
‐  前記トランスポートボックス（１、１’）の前記搬送状態において取っ手機能の役割を果たす少なくとも２つの取っ手壁パネル（２０、２１、１０７、１０９）
を備えることを特徴とする、請求項２５に記載のトランスポートボックス（１、１’）のための第１ブランク（３４、３４’）。
【請求項２７】
前記少なくとも２つのトレイ壁パネル（１８、１９、２０、２１）が、それぞれ取っ手壁パネル（２０、２１）を含むことを特徴とする、請求項２５又は２６に記載のトランスポートボックス（１）のための第１ブランク（３４）。
【請求項２８】
前記トレイ壁パネル（１８、１９、２０、２１、８’、９’）が、それぞれ、前記トランスポートボックス（１、１’）の第１蓋部（１８、２０、８’）及び第２蓋部（１９、２１、９’）であることを特徴とする、請求項２５から２７のいずれか一項に記載のトランスポートボックス（１、１’）のための第１ブランク（３４、３４’）。
【請求項２９】
‐  第１側壁パネル（６ａ）が前記後壁パネル（４）に接続され、
‐  第２側壁パネル（６ｂ）が、前記第１側壁パネル（６ａ）に対向して、前記後壁パネル（４）に接続され、
‐  第１底部壁パネル（３８）が前記第１側壁パネル（６ａ）に接続され、
‐  第２底部壁パネル（３９）が前記第２側壁パネル（６ｂ）に接続され、
‐  第１蓋部パネルの第１上壁パネル（１８）が、前記第１底部壁パネル（３８）に対向して、前記第１側壁パネル（６ａ）に接続され、
‐  第２蓋部パネルの第２上壁パネル（１９）が、前記第２底部壁パネル（３９）に対向して、前記第２側壁パネル（６ｂ）に接続され、
‐  前記第１蓋部パネルの第１取っ手壁パネル（２０）が、前記第１側壁パネル（６ａ）に対向して、前記第１上壁パネル（１８）に接続され、
‐  前記第２蓋部パネルの第２取っ手壁パネル（２１）が、前記第２側壁パネル（６ｂ）に対向して、前記第２上壁パネル（１９）に接続され、及び
‐  前壁パネル（５）が、前記後壁パネル（４）に対向して、前記第１側壁パネル（６ａ）に接続されることを特徴とする、請求項２５から２８のいずれか一項に記載のトランスポートボックス（１）のための第１ブランク（３４）。
【請求項３０】
前記取っ手壁パネル（１０７、１０９）が、前記トランスポートボックス（１’）の前記第３蓋部（１０７）である第３蓋部パネル（１０７）及び前記トランスポートボックス（１’）の前記第４蓋部（１０９）である第４蓋部パネル（１０９）のそれぞれを備えることを特徴とする、請求項２６から２９のいずれか一項に記載のトランスポートボックス（１’）のための第１ブランク（３４’）。
【請求項３１】
前記取っ手壁パネル（１０７、１０９）が、トレイパネル（８’、９’）に含まれないことを特徴とする、請求項２５、２６、２８、又は３０のいずれか一項に記載のトランスポートボックス（１’）のための第１ブランク（３４’）。
【請求項３２】
‐  前壁パネル（５’）が前記第１側壁パネル（６ａ’）と前記第２側壁パネル（６ｂ’）との間に挿入され、
‐  後壁パネル（４’）が、前記前壁パネル（５’）に対向して、前記第２側壁パネル（６ｂ’）に接続され、
‐  第１底部壁パネル（３８’）が前記第１側壁パネル（６ａ’）に接続され、
‐  第２底部壁パネル（３９’）が前記第２側壁パネル（６ｂ’）に接続され、
‐  第１蓋部パネル（８’）が、前記第１底部壁パネル（３８’）に対向して、前記第１側壁パネル（６ａ’）に接続され、
‐  第２蓋部パネル（９’）が、前記第２底部壁パネル（３９’）に対向して、前記第２側壁パネル（６ｂ’）に接続され、
‐  第３蓋部パネル（１０７）が、第３底部壁パネル（４６’）に対向して、前記後壁パネル（４’）に接続され、
‐  第４蓋部パネル（１０９）が、第４底部壁パネル（４７’）に対向して、前記前壁パネル（５’）に接続されること
を特徴とする、請求項２５、２６、２８、３０、又は３１のいずれか一項に記載のトランスポートボックス（１’）のための第１ブランク（３４’）。
【請求項３３】
‐  前記第１底部壁パネル（３８）及び前記第２底部壁パネル（３９）は、前記底部壁パネル（３８、３９）を互いに接続するため、第１接続手段（４２ａ、４２ｂ、４２ｃ、４４ａ、４４ｂ、４４ｃ、４４ｄ）が設けられ、
‐  前記前壁パネル（５）及び前記第２側壁パネル（６ｂ）は、前記前壁パネル（５）を前記第２側壁パネル（６ｂ）に接続するため、第２接続手段（５０、５２、５４）が設けられ、
‐  前記第１上壁パネル（１８）及び前記第２上壁パネル（１９）並びに前記前壁パネル（５）は、前記第１上壁パネル（１８）及び前記第２上壁パネル（１９）を前記前壁パネル（５）に着脱自在に接続するため、第３接続手段（６０、６１、６２、６３、６４、６５、６６、６７）が設けられ、並びに
‐  前記第１取っ手壁パネル（２０）及び前記第２取っ手壁パネル（２１）は、前記第１取っ手壁パネル（２０）と前記第２取っ手壁パネル（２１）とを互いに着脱自在に接続するため、第４接続手段（２４ａ、２５ａ）が設けられること
を特徴とする、請求項２５から２９のいずれか一項に記載のトランスポートボックス（１）のための第１ブランク（３４）。
【請求項３４】
前記蓋部パネル（１８、１９、２０、２１、８’、９’）のうちの少なくとも１つが、少なくとも１つのリムパネル（２４ａ、２４ｂ、２５ａ、２５ｂ、２４ａ’）を備えることを特徴とする、請求項２５から３３のいずれか一項に記載の第１ブランク（３４、３４’）。
【請求項３５】
前記第１蓋部パネル（１８、２０）の前記第１取っ手壁パネル（２０）及び前記第２蓋部パネル（１９、２１）の前記第２取っ手壁パネル（２１）のうちの少なくとも１つが、
‐  前記上壁パネル（１８、１９）に対向して、前記取っ手壁パネル（２０、２１）に接続される第１リムパネル（８６、８７）、
‐  前記取っ手壁パネル（２０、２１）に対向して、前記第１リムパネル（８６、８７）に接続される第２リムパネル（９０、９１）、
‐  前記取っ手壁パネル（２０、２１）の対向する側端に接続される第３リムパネル（７０、７１）及び第４リムパネル（７８、７９）、並びに
‐  前記第３リムパネル（７０、７１）及び前記第４リムパネル（７８、７９）それぞれに接続される第１折込タブ（７４、７５）及び第２折込タブ（８２、８３）を備え、
‐  前記第２リムパネル（９０、９１）及び前記取っ手壁パネル（２０、２１）は、前記第１リムパネル（８６、８７）、前記第２リムパネル（９０、９１）、前記第３リムパネル（７０、７１）、前記第４リムパネル（７８、７９）、前記第１折込タブ（７４、７５）、及び前記第２折込タブ（８２、８３）を前記取っ手壁パネル（２０、２１）から延在するリム（２４ａ、２５ａ）へと着脱自在に組み立てるための手段（９４、９５、９６、９７、９８、９９、１００、１０１）が設けられることを特徴とする、請求項２６から２９、３３、又は３４のいずれか一項に記載の第１ブランク（３４）。
【請求項３６】
前記第１蓋部パネル（１８、２０）及び前記第２蓋部パネル（１９、２１）のうちの少なくとも１つが、対応する上壁パネル（１８、１９）を欠いていることを特徴とする、請求項２９、又は３３から３５のいずれか一項に記載の第１ブランク（３４）。
【請求項３７】
前記第１蓋部パネル（８’）及び前記第２蓋部パネル（９’）のうちの１つだけが、少なくとも１つのリムパネル（２４ａ’）を有することを特徴とする、請求項２５から３６のいずれか一項に記載の第１ブランク（３４’）。
【請求項３８】
請求項１から２４のいずれか一項に記載のトランスポートボックス（１、１’）のための第２ブランク（１０２）であって、
‐  前記コンパートメント（２、２’）の前記底部（７、７’）、又は前記コンパートメント（２、２’）の平断面、及び任意選択的に開口部（３３）と実質的に同じ形状と寸法を有する上壁パネル（３２）、並びに
‐  折り線（１０３、１０４、１０５、１０６）を介して前記上壁パネル（３２）に接続される少なくとも１つの支持パネル（３１ａ、３１ｂ、３１ｃ、３１ｄ、３１ａ’、３１ｂ’、３１ｃ’、３１ｄ’）
を備えることを特徴とする第２ブランク（１０２）。
【請求項３９】
前記第１ブランク（３４、３４’）及び／又は前記第２ブランク（１０２）が、折り曲げ可能な材料から作られることを特徴とする、請求項２５から３８のいずれか一項に記載の第１及び／又は第２ブランク（３４、３４’、１０２）。
【請求項４０】
請求項２５から３７、又は３９のいずれか一項に記載の第１ブランク（３４、３４’）を請求項１から２１のいずれか一項に記載のトランスポートボックス（１、１’）に変換する方法であって、
パネルを接続する折り線に沿って前記パネルを折り曲げるか、又は回動させるステップと、
接続手段（４２ａ、４２ｂ、４２ｃ、４４ａ、４４ｂ、４４ｃ、４４ｄ、５０、５２、５４、６０、６１、６２、６３、６４、６５、６６、６７、２４ａ、２５ａ）、接着剤、及び／又は糊の中から選択される１つ又は複数の組み立て手段を使用して、前記第１ブランク（３４、３４’）のパネルを、蓋（３、３’）を有する三次元のトランスポートボックス（１、１’）になるように接合するステップとを含むことを特徴とする方法。
【請求項４１】
底部壁パネル（３８、３９、３８’、３９’）が、実質的に台形又は等脚台形の形状になるように接合され、前記トランスポートボックス（１、１’）の底部壁を形成することを特徴とする、請求項４０に記載の方法。
【請求項４２】
パネルを完全に着脱自在な態様又は部分的に着脱自在な態様で接合し、それにより、前記トランスポートボックス（１、１’）及びラップトレイとして使用する前か後に、前記三次元のトランスポートボックス（１、１’）の接合されたパネルを、前記第１ブランク（３４、３４’）又は前記第１ブランク（３４、３４’）の折り畳んだ状態に変換することが可能になることを特徴とする、請求項４０又は４１に記載の方法。
【請求項４３】
第１蓋部パネル（１８、２０）及び第２蓋部パネル（１９、２１）が、トランスポートボックス（１）の変形状態においてトレイ、及び搬送状態において直立型の取っ手を構成することを特徴とする、請求項１から２１のいずれか一項に記載のトランスポートボックス（１）の使用。
【請求項４４】
第１蓋部パネル（８’）及び第２蓋部パネル（９’）が、トランスポートボックス（１’）の変形状態において、トレイを構成し、且つ重複関係で折り曲がるか、又は回動して、搬送状態において、コンパートメント（２’）の開口部（１７’）を覆い、搬送状態において、第３蓋部パネル（１０７）及び第４蓋部パネル（１０９）が、前記第１蓋部パネル（８’）及び前記第２蓋部パネル（９’）に覆いかぶさる、突出する取っ手となるように組み合わされることを特徴とする、請求項１から２１のいずれか一項に記載のトランスポートボックス（１’）の使用。
【請求項４５】
トランスポートボックス（１、１’）が、搬送状態においては、食物及び／又は飲用コップなどの１つ又は複数のオブジェクトを搬送するための閉じたコンパートメント（２、２’）並びに取っ手（１２）を画定し、変形状態においては、１つ又は複数のオブジェクトを置くための、任意選択的には前記コンパートメント内に残る他のオブジェクトを共に置くためのラップトレイを画定することを特徴とする、請求項１から２１のいずれか一項に記載のトランスポートボックス（１、１’）の使用。
【請求項４６】
トランスポートボックス（１、１’）が、搬送状態においては、食物及び／又は飲用コップなどの１つ又は複数のオブジェクトを搬送するための閉じたコンパートメント（２、２’）並びに取っ手（１２）を画定し、変形状態においては、オブジェクトを置くためのラップトレイを画定することを特徴とする、請求項２５から３９のいずれか一項に記載の第１及び／又は第２ブランク（３４、３４’、１０２）の、請求項１から２１のいずれか一項に記載のトランスポートボックス（１、１’）としての使用。
【発明の詳細な説明】
【技術分野】
【０００１】
本発明は、ラップトレイに変形可能であるように構成されるトランスポートボックスに関し、
‐  トランスポートボックスは、対向する側壁、後壁に対向する前壁、及び底部によって画定されるコンパートメントを備え、
‐  前記壁は、コンパートメントにアクセスするための、底部に対向する開口部の範囲を定め、
‐  開口部は、側壁の対向する頂端、前壁の頂端、及び後壁の頂端によって画定される周縁端を有し、並びに
‐  開口部のための蓋は、開口部の周縁端から延在する第１蓋部を少なくとも備える。
【０００２】
本発明は、更に、トランスポートボックス用のインサートと、トランスポートボックス及びインサートとなるように折り畳むことができるブランクと、ブランク及びインサートを組み立てる方法と、ラップトレイとして、並びに食物及び／又は飲料などの１つ又は複数のオブジェクトを搬送するため、トランスポートボックスを使用することとに関する。
【０００３】
食物以外のオブジェクトもトランスポートボックスの使用に適しているかもしれないが、好適には、トランスポートボックスは食物用トランスポートボックスである。
【背景技術】
【０００４】
折り曲げ可能な厚紙ブランクなどから作られるボックスであって、ボックスを開けて食物を摂取するとき、座しているユーザの大腿部の上に配置することができる、食物などのオブジェクトを搬送するためのボックスは広く知られている。しかしながら、このような位置では、ユーザが、大腿部を動かしたり、移動車両の中に座していたり、又は思わずボックスを押してしまったりした場合、ボックスが簡単に傾いてしまうか、或いは、ユーザの大腿部から滑り落ちる可能性がある。
【０００５】
ブランク、すなわち、厚紙又はカートンなどの一部を折り曲げてボックスにする技術は、包装産業では良く知られている技術である。一般的に、本発明のブランクは、厚紙を望まれる形状に切削し、必要な折り線を刻むことによってつくることができる。ブランクは、印刷、型押し加工、ラベル、又はこれらの組み合わせを通して、爽やかな色又はロゴを更に入れることができ、並びに／或いはラミネート加工することができる。ブランクは、好ましくは、平らな形状で出荷され、次いで、機械又は手作業によって折り曲げられ、最終的な形に組み立てられる。
【０００６】
米国特許番号第５，１２７，３３９号は、段ボールブランクから作られる、折り曲げ可能なラップトレイを開示する。上部分には、コップを保持するための円形の穴及びオブジェクトがトレイから滑り落ちることを防ぐ垂直フラップが設けられる。トレイには、座している人の大腿部の下に延在し、且つトレイに安定性をもたらすために互いに組み合わされる底部分が設けられる。しかしながら、ユーザが大腿部を動かさない限り、上部分は水平に保たれるが、例えば、ハンバーガーと飲み物を車の中で或いはスポーツ観戦時に摂取するとき、ユーザが大腿部を動かす可能性は大きい。
【０００７】
米国特許番号５，４２５，４４５号は、段ボールブランクからつくられた折り曲げ可能なラップトレイを開示するが、トレイの底部には、座しているときにトレイを安定化させるため、ユーザが大腿部で掴むことができる反転Ｖ字形状の支持脚が設けられる。しかしながら、座している人の大腿部は平行ではない場合がある。これは、支持脚が大腿部の自然な姿勢に合わないことを意味する。
【０００８】
したがって、上述の既知のラップトレイは、トレイの最適な安定性をもたらさない。更に、既知のラップトレイは、食物をトレイ上に確実に保つ手段を提供せず、ユーザが座して食物を摂取し始める前に、食物を搬送するトランスポートボックスの形から変形させることができない。
【０００９】
したがって、最初の段落で述べたような種類のトランスポートボックス、すなわち、安定性をもたらす手段と、座しているユーザがラップトレイとして使用するときに食物などのオブジェクトをトレイ上に確実に保つ手段とを備えるトランスポートボックスが必要とされている。
【発明の概要】
【００１０】
本発明に係る第１の態様では、ラップトレイに変形させることができるトランスポートボックスが提供される。
【００１１】
本発明に係る第２の態様では、ユーザの大腿部の間に配置されたときにラップトレイを安定化させる手段を有するラップトレイが提供される。
【００１２】
本発明に係る第３の態様では、ボックスを便利に運ぶ手段を有するトランスポートボックスが提供される。
【００１３】
本発明に係る第４の態様では、オブジェクトをトレイ上に保つ手段を有するラップトレイが提供される。
【００１４】
本発明に係る第５の態様では、ラップトレイを製作するためのブランクが提供される。ブランクは、保管及び搬送の間に実質的な空間を占有せず、且つ使用する直前に変形させることができ、ブランク又は平らな状態に変形させて戻すことができる。
【００１５】
本発明に係る第６の態様では、変形可能なトランスポートボックスを組み立てる方法が提供される。
【００１６】
本発明に係る第７の態様では、変形可能なトランスポートボックスの使用が提供される。
【００１７】
本発明に従って達成されるこれらの態様及び他の態様の新規性及び独自性は、
‐  底部が前壁端部及び後壁端部を有し、後壁端部は前壁端部より短く、及び
‐  第１蓋部が、ラップトレイの役割を果たすためにトランスポートボックスの変形状態において、開口部から離れるようにして折り曲がるか、又は回動するように構成されることを特徴とする。
【００１８】
本発明の文脈の中では、「搬送状態」という用語は、蓋がコンパートメントの開口部を閉じるときのトランスポートボックスの三次元構成であると理解するべきである。
【００１９】
「変形状態」という用語も更にトランスポートボックスの三次元状態又は構成を指す。コンパートメントの空洞へのアクセスを得るために、１つ又は複数の蓋部をトランスポートボックスの開口部から離れるようにして折り曲げるか、又は回動させることによって蓋が開く。変形状態において、トランスポートボックスをトレイとして使用することができる。
【００２０】
コンパートメントがユーザの脚の間に位置するとき、後壁は、座しているユーザの最も近くにあることが意図されるコンパートメントの壁であり、前壁は、座しているユーザの膝の最も近くにあることが意図される壁である。「後壁端部」は、後壁へと延在する底部の端部であり、「前壁端部」は、前壁へと延在する底部の端部であることを理解されたい。後壁端部及び前壁端部は、対向する側壁の端部を介して接続され、それにより、底部の輪郭形状を画定する。「後壁端部は前壁端部よりも短い」とは、前記端部の幅の間、具体的には、２つの対向する側壁の対向する側壁端部端点間の、それぞれの端部の幅の間の関係のことを指す。したがって、本発明の範囲内で、湾曲した、凸状になった、及び／又は破線となった後壁端部及び側壁端部も考慮されている。側壁端部も、様々な態様において多少湾曲する場合がある。後壁端部の幅がゼロに近い場合さえもあり、その場合、底部は実質的にＶ字形状となり、Ｖ字形状の交点が後壁端部を構成する。後壁端部及び前壁端部は、互いに向かって、或いは、互いから離れるようにして湾曲する場合がある。側壁端部の湾曲に対しても同じことが適用され、湾曲の度合いは同じであってもよく、異なってもよい。本質的な特徴は、くさび形状となるよう底部が前から後へとテーパし、コンパートメントにもテーパ状のくさび形状を与えることである。Ｖ字形状の底部は、特別なくさび形状である。
【００２１】
搬送状態と変形状態との間の他の中間状態も可能な状態である。
【００２２】
座している人の大腿部の間のアクセス可能なフリースペースは、股に最も接近したところで最も制限を受ける。底部が、前壁端部よりも短い後壁端部を有する場合、コンパートメントは、人の大腿部の間で保持されるとき、トランスポートボックスをラップトレイとして使用する人の股に非常に接近するように便宜的に配置される場合があり、それにより、当該の人は、コンパートメントを適した位置に容易に保つことができるようになる。特別に設計された底部によって、コンパートメントに便利なくさび形状がもたらされる。この形状は、前記コンパートメントを、ユーザの大腿部又は脚の間の、人が座っている自由表面の上に配置するのに特に適している。したがって、トランスポートボックスをラップトレイとして使用する人が、使用しているオブジェクトを置くために側面に任意の余分なスペースを必要としないように、コンパートメントを椅子又はベンチの座席などの
下位表面上にしっかりと置くことができると同時に、大腿部の間に収めることができる。トランスポートボックスをラップトレイとして使用する人は、必要であれば、コンパートメントを掴むために大腿部を微妙に閉じることによって、コンパートメントの側壁上に容易に更なる力を加えることができる一方で、搬送状態においてコンパートメントの中に保管且つ搬送されるオブジェクトを取扱い且つ処理するため、又は、コンパートメント内のオブジェクトを取り扱うため、又は、第１蓋部を開口部から離れるように回動させるか、又は折り曲げることによって変形したトランスポートボックスから生じるラップトレイ上にオブジェクトを置くために、両手を使うことができる。したがって、オブジェクトは、蓋が閉じたときに衛生的な理由からコンパートメントの内側に面し、且つ蓋が開いてラップトレイに変形したときにコンパートメントの開口部の周縁端から突出する、少なくとも１つの第１蓋部の表面に配置されてもよい。通常、コンパートメントは、コンパートメントの新規性を有する設計、特に底部の新規性を有する設計によって、力を適用する必要させなく、ユーザの大腿部の間にしっかりと置かれる。コンパートメントは、座しているユーザの大腿部の間の実質的にＶ字形状の間隔に一致するか、又は少なくとも適合する。座しているユーザは、大腿部を微妙に閉じることによってコンパートメントの側壁上に力を加えることができるようになり、それにより、ラップトレイが適所に保たれる。このことは、トランスポートボックスがその意図される位置から滑り落ちることを防ぐのに特に役立つ。ユーザが左右に微妙に動いた場合でも、ラップトレイ上のオブジェクトに対して実質的に衝撃が加わることなく、ラップトレイがユーザの動きに合わせて動く。
【００２３】
大腿部の間にトランスポートボックスをもって座しているユーザに対して言及するときは、その人が膝をくっつけずに脚を自然で心地良い姿勢に保っていることが前提となり、それにより、大腿部の間の間隔が実質的にＶ字形状となり、コンパートメントを、大腿部の上ではなく、ユーザの大腿部の間に容易に収めることができる。したがって、コンパートメントの外形が、前記間隔に適合するように構成される。
【００２４】
蓋は、搬送状態においてコンパートメントの開口部を閉じるように適合される。これは、食物などの１つ又は複数のオブジェクトがコンパートメントの中で安全に保たれ、外部のオブジェクト（雨粒、葉っぱなど）が誤ってコンパートメントに入って食物を汚染することができず、及びコンパートメントを通じた熱伝達を減少させる（例えば、食物が熱いとき（熱いハンバーガー又は熱い飲み物など）に重要なことである）という効果がある。
【００２５】
第１蓋部はコンパートメントの周縁端から延在する。それにより、少なくとも１つの第１蓋部を離すようにして折り曲げるか、又は回動させることによって開口部を開いたときに、ユーザは、開口部を介してコンパートメントの内側の１つ又は複数のオブジェクトに対する簡単で便利なアクセスを有する。
【００２６】
トランスポートボックスは、少なくとも第２蓋部を備えてもよく、第１蓋部及び第２蓋部は、開口部の周縁端の異なる端部から延在して、折れ曲がるか、又は回動し、開口部を覆う。
【００２７】
好適な実施形態では、蓋は、少なくとも１つの第２蓋部を備えてもよく、少なくとも１つの第１蓋部及び第２蓋部は、対向する側壁の頂端それぞれから延在し、トランスポートボックスの変形状態において、互いから離れるようにして折り曲がるか、又は回動するように構成され、それにより、前記蓋部のうちの少なくとも１つ、及び好ましくは両方の前記蓋部が、ラップトレイの役割を果たすことができる。
【００２８】
第１蓋部及び第２蓋部を、座しているユーザの座席に対して例えば実質的に水平な位置へと、互いから離れるように折り曲げることによって、トランスポートボックスは変形状態となる。蓋部は、例えば、開口部の対向する側面上で実質的に同一平面上に延在することができる。それにより、一部の食物がコンパートメントに残されたままであるかもしれないが、例えば、食事中に食物又は一部の食物を置くため、蓋部は、１つ又は２つの実質的に水平なトレイ表面を構成することができる。すなわち、蓋部はラップトレイの役割を果たす。変形状態においてトレイ機能の役割を果たす蓋部の表面は、搬送状態においては、衛生的な理由から隠されることに留意されたい。
【００２９】
これらの表面は、例えば、コンパートメントの内側に面するか、又は閉じた取っ手として接合され、第１蓋部及び第２蓋部が離れるように回動したとき、ラップトレイであることが外部ユーザ環境に対して初めて明らかになる。
【００３０】
一実施形態では、少なくとも１つの第１蓋部及び／又は少なくとも１つの第２蓋部の大きさが、変形状態において１つ又は複数の蓋部が座している平均的な大人の大腿部の幅の上に延在するように適合され、それにより、食物（例えば、ドレッシングからハンバーガーまで）が、食事中に思わずこぼれ、食べている人の大腿部又はその人が座している表面の上に落ちる可能性が減少する。
【００３１】
大腿部、脚、又は膝の間にトランスポートボックスを置いて座っているユーザに対して言及するとき、その人が、コンパートメントを大腿部の上ではなく、大腿部の間に容易に収めることができるように、脚を自然で心地良いＶ字形状に保っていることを理解するべきである。
【００３２】
一実施形態では、トランスポートボックスを搬送状態と変形状態との間で何度か変形させることが可能であり、これは、ユーザが、ボックスを開け、内容物を取扱い、例えば、一部の食物を摂取し、ボックスを閉じて可能ならば別の位置へ搬送し、次いで取扱いを続けることが可能であることを意味する。このようにすれば、暖かい（又は冷たい）食物の場合、ボックスを再び閉じることができないときに比べて、食物を暖かく（又は冷たく）保つことができる。
【００３３】
一実施形態では、それぞれの対向する側壁のそれぞれの対向面の少なくとも一部が、後壁から前壁への方向で分岐する場合がある。したがって、コンパートメントは、分岐する面を有する２つの対向する側壁を備える場合がある。側壁の分岐の度合い及び側壁間の距離は有利に適合され、それにより、コンパートメントが大人又は子供などの平均的な人の大腿部の間に適合し、コンパートメントの底部の少なくとも主要部分が人の座している表面上に置かれたとき、大腿部を用いて、又は可能であるならば大腿部を用いないで、コンパートメントを、より簡単に、より安全に、より便利に保持することが可能になる。
【００３４】
トランスポートボックスの底部は、便宜的に単一のパネルであってもよいが、使用後にボックスを平らにすることを可能にするためには、代替的に、底部を２つ以上の底部パネル部から構成してもよい。これらのパネルは、接合されてトランスポートボックスの底部の最終形状となる。
【００３５】
別の実施形態では、蓋は、前壁の上端から延在する第４蓋部に対向する、後壁の上端から延在する第３蓋部を備えてもよく、それにより、開口部の閉じ方が改善される。
【００３６】
２つの対向する蓋部は、取っ手の役割を果たすため、搬送状態において接合されるように便宜的に構成されてもよい。取っ手によって、トランスポートボックスを掴み且つ搬送する、簡単で便利な方法がもたらされる。取っ手の上部を掴むことによって、ユーザの手はコンパートメント自体から距離が置かれる。このことは、トランスポートボックスを掴むため、手をコンパートメントに接近させる必要があるとき、又は、手をコンパートメント自体の上に置く必要があるときに比べて、熱い食物の場合に手がさほど熱に曝されない（冷たい食物の場合、さほど冷気に曝されない）ことを意味する。
【００３７】
このような取っ手の利点が特に際立つのは、トランスポートボックスが水平面上に位置するとき、２つの対向する蓋部が、接合されて、例えば、実質的に垂直などの直立方向にコンパートメントから突出したときである。
【００３８】
したがって、第１蓋部を第２蓋部と組み合わせることによって、又は、第３蓋部を第４蓋部と組み合わせることによって、取っ手を作ることができる。
【００３９】
有利には、側壁のうちの少なくとも１つとコンパートメントの底部との間の内角は、４５度と等しいか又は少なくとも４５度、より好ましくは、７５度と等しいか又は少なくとも７５度、及び最も好ましくは、９０度と等しいか又は少なくとも９０度であってもよい。
【００４０】
内角が小さいほど、コンパートメントの開口部はより小さい。したがって、９０度未満の内角においては、コンパートメントの開口部領域はコンパートメントの底部領域よりも小さく、それにより、オブジェクトが思わずコンパートメントから転げ落ちる可能性が減少し、人が大腿部を通してコンパートメントに対して部分的に下向きの力を加えることが可能になる。
【００４１】
一実施形態では、前記内角は９０度に近いか、実際に９０度であり、これは、コンパートメントを水平面上に置いたとき、コンパートメントの側壁が底部に対して垂直配置を有することを意味する。
【００４２】
コンパートメントの側壁の高さは、好ましくは、座している平均的な大人の大腿部の平均的高さに対応する。このことにより、対向する蓋部は、座している人の大腿部の上に置くことができ、人の大腿部によって支持され、実質的に水平な配向を有するという効果が生じる。しかしながら、コンパートメントを任意の適切な間隔の中に適合させることができ、蓋部を互いから離れるように折り曲げるか、回動させて、間隔、孔、又はその他の空洞（例えば、ビーチの砂中に掘られたくぼみのためにつくられたものであろうと、例えば、乳母車、庭のテーブル、又は同等物において既に存在する間隔、孔、又はその他の空洞であろうと）を囲む表面上に置くことができることを理解しなければならない。実施形態が子供を含むすべての人に適合するように、側壁の高さ、そしてコンパートメントの深さは、５〜３０センチの間の長さ、１０〜２０センチの間の長さ、例えば約１５センチの長さであってもよい。
【００４３】
ユーザがオブジェクトを蓋部上に置き、このようなオブジェクトの水平移動を最小限にするため、変形状態においては蓋部の水平な配向が望まれる。このようなオブジェクトとは、例えば、食物、ユーザがスポーツ観戦している場合はスコアカード、又は子供の玩具である可能性がある。
【００４４】
底部の形状は、実質的に台形、好ましくは等脚台形であるか、又はそのように見える場合がある。この先端を切り取ったような三角形は、コンパートメントの三次元形状の基底面と外形を画定する。底部の形状は、大まかに先端部分を切り取った三角形であるような印象を与える多角形状であってもよいことに留意するべきである。したがって、「実質的に台形に見える」ということは、全体的に三角形状の印象を与える多角形状も含む。底部の後端及び前端は、好ましくは、実質的に平行であってもよいが、代替的には、アーチ状となって同じ方向又は異なる方向に湾曲してもよい。
【００４５】
底部に対して平行な面におけるコンパートメントの断面は、例えば、底部が実質的に同じ形状を有することによって、実質的に等脚台形の形状を有してもよい。したがって、例えば、コンパートメントの水平断面は、水平面上に配置されたとき、実質的に等脚台形の形状を有する。この実施形態では、後壁が座している人に対して面し、後壁に対向する前壁がその人とは反対側に面することが好ましい。前壁は、後壁よりも幅が広い
【００４６】
底部の形状又はコンパートメントの断面形状は、三角形などの他の形状を有してもよく、それと同時に、コンパートメントの任意の壁の形状は、例えば、凹状、凸状、波状などに湾曲してもよいが、特定の簡便な実施形態では、コンパートメントは、先端が切り取られた三角チーズのような三角形状を有する。
【００４７】
後壁端部及び前壁端部は、側壁端部によって離隔配置される。後壁端部及び前壁端部は、底部の平面において見た場合、少なくともある程度互いに重なり合う長さ又は幅を有することが好ましい。一部の実施形態では、後壁端部及び前壁端部は、多かれ少なかれ、オフセットされた長さであってもよい。対向する後壁端部及び前壁端部のそれぞれの終端部分は、重なる場合があるが、ほとんどの実施形態では、後端端部の幅又は長さは、後端端部の終端部分が前壁端部の終端部分を越えない短さであることが好ましい。
【００４８】
四角の外形を有する底部、すなわち、すべての端部が、等しい長さを有し、且つ直角を介して互いに対して延在する底部、或いは、長方形の外形を有する底部は、本発明から除外される。
【００４９】
１つ又は複数の実施形態では、上述の底部又はコンパートメント断面の実質的に等脚台形の形状では、コンパートメントの底部とコンパートメントの前壁、後壁、及び側壁との間で実質的に９０度の内角が組み込まれる。
【００５０】
１つの又は両方の蓋部が変形状態において水平に配向されたとしても、このことは、例えばこのようなオブジェクトをユーザが思わず押してしまったときにオブジェクトが蓋部から滑り落ちることを防ぐことではない。しかしながら、このような望ましくない状況は、それぞれの蓋部の自由端部の少なくとも一部から延在する少なくとも１つのリムを備える、第１蓋部、第２蓋部、第３蓋部、及び第４蓋部のうちの少なくとも１つを、９０±２０度の間隔、９０±１５度の間隔、９０±１０度の間隔、９０±５度の間隔、又は９０度の角度など、蓋部の平面から離れる角度で設けることによって、防ぐことができる。
【００５１】
１つの実施形態では、少なくとも１つのリムは、蓋部の自由端部の全体又はほぼ全体に沿って延在する。蓋部の自由端部とは、蓋部がコンパートメントに接続される端部を除く、蓋部のすべての端部を含んでもよいことに留意されたい。
【００５２】
トランスポートボックスを掴んで搬送することは、２つの対向する蓋部のうちの少なくとも１つが、ヒンジフラップを有する開口部を備えるとき、更に容易になることができる。このヒンジフラップを離すように折り曲げるか又は回動させ、それにより、トランスポートボックスの搬送の間にユーザの手で多かれ少なかれ掴めるように、開口部が取っ手として使用される。搬送状態において、トランスポートボックスの重量は、商品の重量によって増加する。したがって、トランスポートボックスは、商品の重量に耐えるように構成され、例えば、対向する蓋部における取っ手開口部を設けることにより、商品を容易に運ぶことができるように適合される。
【００５３】
トランスポートボックスの変形状態において、ヒンジフラップは、対応する蓋部における開口部を覆うように適合されてもよい。更に、ヒンジフラップは、搬送状態においてトランスポートボックスを運ぶための開位置と、変形状態における閉位置との間で可動であってもよい。
【００５４】
一実施形態では、両方の蓋部が、ヒンジフラップを有する開口部を備えてもよい。フラップは、搬送状態において互いに対向する位置にある。
【００５５】
蓋を閉める前に、ヒンジフラップを、内側に向かって曲げるか、又は開口部から離れるように曲げてもよく、これによって、搬送状態において取っ手を通る穴が画定される。蓋部の自由端部から適当な距離でヒンジフラップを設けることにより、蓋部の自由端部及び取っ手を通る穴によって画定される取っ手の一部の周りを掴むことができ、これにより、ユーザがトランスポートボックスを運ぶことが便利になる。
【００５６】
ラップトレイとして対向する蓋部の位置において、ヒンジフラップは、周りの残りの蓋部と同じ面に位置することができ、且つフラップと蓋部の周りの残りの部分との間の摩擦によってこの位置を保つことができる。それにより、蓋部は穴のない連続的なラップトレイ表面として機能し、これは、ラップトレイを通って何かがこぼれ落ちることが抑えられることを意味する。フラップは、例えば、蓋部を部分的に切削することによって作ることができる。
【００５７】
一実施形態では、第１蓋部及び第２蓋部は、両方とも、コンパートメントの開口部の周縁端からヒンジ的に延在する上部分と、上部分の対向する端部から延在する取っ手部分とを含む。トランスポートボックスの搬送状態においてコンパートメントが水平面上に置かれるとき、上部分は、開口部の上で突出するように配向されてもよく、取っ手部分は、開口部から実質的に直立するように配向される。
【００５８】
別の実施形態では、第１蓋部及び第２蓋部は、開口部もヒンジフラップも有せず、トランスポートボックスの変形状態においてラップトレイとして利用される。本発明に係るトランスポートボックスのこの実施形態は、第１蓋部及び／又は第２蓋部と交互して、開口部の周縁端から延在する第３蓋部及び第４蓋部を更に含み、第３蓋部及び第４蓋部のうちの一方は、ヒンジフラップを有する開口部を有し、第３蓋部及び第４蓋部のうちのもう一方は、ヒンジフラップを有しないが、トランスポートボックスの搬送状態においてヒンジフラップと組み合わさる開口部だけを有してもよい。第３蓋部及び第４蓋部のうちの１つは、例えば、ユーザのズボンの腰部に留めるのに適切な自由端部を有してもよい。
【００５９】
３次元の変形状態において空間を節約する態様で保管することができるトランスポートボックスの特定の好適な実施形態では、側壁、後壁、及び前壁から選択される少なくとも１つの壁は、９０度を上回る内角、より好ましくは、９０度を上回り、最大１２０度の内角、例えば、９０度を上回り、最大１１０度の内角、９０度を上回り、最大１００度の内角、９０度を上回り、最大９５度の内角、又は９２度から９５度の内角、並びに最も好ましくは、例えば、９２度又は９５度の内角で底部から延在する。この構成では、第１蓋部、第２蓋部、第３蓋部、及び第４蓋部がコンパートメントの開口部から離れるようにして折り曲がるか、又は回動する、変形したトランスポートボックスのコンパートメントは、同じ構成又は似たような構成で、別の変形したトランスポートボックスのコンパートメント内に挿入されることができる。このようなトランスポートボックスを幾つか積み上げることによって、例えば、レストランにいる人にとって、第１に、このようなトランスポートボックスのスタックにおいて最も上にあるトランスポートボックスのコンパートメントの中に食物又は他のオブジェクトを置き、第２に、蓋を閉じ、そして第３に、最も上にあり搬送する準備が整ったトランスポートボックスを取り除くことが特に便利で速くなる。有利には、側壁、後壁、及び前壁は、それぞれ、９０度を上回る内角、より好ましくは、９０度を上回り、最大１２０度の内角、例えば、９０度を上回り、最大１１０度の内角、９０度を上回り、最大１００度の内角、９０度を上回り、最大９５度の内角、又は９２度から９５度の内角、並びに最も好ましくは、例えば、９２度又は９５度の内角で底部から延在する。当然ながら、本発明のインサートも第１のステップの間にコンパートメント内に配置されてもよい。
【００６０】
有利には、トランスポートボックスは、上壁がコンパートメントの底部から間隔を置いて配置される位置において、コンパートメント内に配置できるインサートを更に備える。このインサートは、可能であるならば、対応する数のオブジェクトを保持するための１つ又は複数の開口部が設けられる。
【００６１】
コンパートメントの底部からインサートの上壁を上昇させることにより、例えば、飲料コップの壁が、コップの底部から幾らかの距離でインサートの開口部の壁に係合できるという効果があり、それにより、コップが水平面で動くことを防ぐ。コップは、インサートの開口部内にしっかりと保持されながらも、便利に掴むことができるよう、更にインサートを越えて十分に突出する。
【００６２】
インサートの開口部は、円形断面の飲料を受けるために、好ましくは、円形である。トランスポートボックスは、例えば、紙で包まれたハンバーガー及びコップ又は缶の中のソフトドリンクの形態の典型的なファストフードの食事を搬送するために使用することができる。この場合、ハンバーガーをインサートの上壁の上に置くことができ、インサートの開口部はコップ又は缶を保持することができる。しかしながら、このようなコップ又は缶は、一般的に種々の大きさで売られているため、コンパートメントの中に配置することができる、様々な半径を有する上壁の開口部を備える幾つかのインサート、及び／又は、コンパートメントの底部に多かれ少なかれ接近配置するように構成されるインサートを有することが好ましい。
【００６３】
インサートの円形の開口部の位置におけるコンパートメントの底部と蓋との間の垂直距離は、使用することが意図されている飲料コップの高さに対応するように選択することができ、それにより、コップの意図されていない垂直方向の動きを更に防ぐ。
【００６４】
一実施形態では、インサートの上壁は、底部の形状又はコンパートメントの断面形状と同じ形状又は対応する形状を有し、例えば、実質的に台形の形状又は等脚台形の形状であってもよい。このことは、食物又はオブジェクトがインサートの上壁上面に保たれるという効果がある。
【００６５】
インサートの上壁は、好ましくは、少なくとも１つの支持部材を有することによって、コンパートメントの底部から引き上げられる。この少なくとも１つの支持部材は、上壁と支持部材との間の９０度又は約９０度などの角度で上壁の端部から延在する。
【００６６】
一実施形態では、インサートは、９０度又は約９０度などの角度で上壁の端部から延在する１つ又は複数の支持部材を備える。上壁の望ましい位置をコンパートメント内で保つため、上壁のほぼすべての外周が、前記１つ又は複数の支持部材によって支持される。
【００６７】
インサート及びコンパートメントは、実質的に台形又は等脚台形の形状を有し、インサートが、９０度又は約９０度などの角度で、上壁の４つの端部のそれぞれから延在する支持部材を備えることは、目的にかなっているかもしれない。上壁のほぼすべての外周が、組み合わせにより、これらの４つの支持部材によって支持される。
【００６８】
任意の実施形態の少なくとも１つの支持部材は、好ましくは支持壁であり、そして好ましくは上壁と同じ材料であるが、更に、コンパートメントの底部に対して引き上げられた位置で上壁を保つことができる支柱又は何らか他の種類の支持部材であってもよい。
【００６９】
インサートの上壁は、コンパートメント内で支持壁と共に摩擦係合又は圧力ばめ係合されてもよい。
【００７０】
底部と、第１側壁、第２側壁、後壁、及び前壁との間の内角が９０度を上回る実施形態の場合、インサートの上壁は、コンパートメント内で摩擦係合又は圧力ばめ係合されることが好ましく、及び、上壁は、好ましくは、インサートがコンパートメント内に配置されるとき、インサートの上壁からコンパートメントの底部へと延在する１つ又は複数の支持部材（例えば、支持壁又は支柱）を更に備えてもよい。
【００７１】
修正された型では、インサートは、個体であり、例えば円形の、少なくとも１つの上側凹部が設けられ、それにより、飲料コップなどの対応する数のオブジェクトが保持される。インサートの少なくとも１つの開口部又は凹部は、四角又は三角など、円形以外の形状を有してもよい。
【００７２】
実施形態の代替的な型では、インサートの上壁が実質的に台形又は等脚台形の形状を有する場合、上壁の２つの平行な端部のうちの一方だけは、コンパートメントの底部から上壁の前記端部を引き上げるために少なくとも１つの支持部材が設けられるが、２つの平行な端部のうちの他方は、コンパートメントの底部の上に置かれる。このことは、当然ながら、インサート上に置かれる食物の重量によって曲がらないように、上壁の材料が十分に剛性であることを必要とする。
【００７３】
本発明の修正された実施形態では、蓋は、側壁のそれぞれの対向する頂端から延在し、且つトランスポートボックスの変形状態において、互いから離れるようにして折り曲がるか、又は回動するように構成される第１蓋部及び第２蓋部を備え、第１蓋部及び第２蓋部のそれぞれが、トランスポートボックスの変形状態において、座しているユーザの大腿部上に配置するための内側凹面を画定し、第１蓋部及び第２蓋部が、トランスポートボックスの搬送状態において互いに向かって湾曲し、好ましくは取っ手の役割を果たす。この湾曲形状によって、第１蓋部及び第２蓋部は、それぞれ、凹面が設けられ、変形状態において、座しているユーザの大腿部を受けることができ、それにより、例えば、食事中に食物がこぼれ落ちたときにユーザの脚を効果的に保護する。この修正された実施形態では、蓋は、好ましくは、前壁の頂端から延在し、且つ細長い突き抜けスリットを有する第４蓋部を更に備える。このスリットは、第１蓋部及び第２蓋部の自由上面前部（ｆｒｅｅ  ｕｐｐｅｒ  ｆｒｏｎｔ  ｐａｒｔ）を受容するように配置且つ寸法形成される。したがって、第１蓋部、第２蓋部、及び第４蓋部は、搬送状態において、接合されて共に保持されることができ、ユーザは、テーブルボックスを運ぶため、第１蓋部及び第２蓋部の上部、そして可能であるならば、第３蓋部の上部を便利に掴むことができる。修正された実施形態の蓋は、好ましくは、後壁の頂端から延在し、且つテーブルボックスの搬送状態において、コンパートメントの開口部全体又は開口部の少なくとも大部分を覆うように寸法形成される第３蓋部を備え、それにより、コンパートメントの内側と周りとの間の熱伝達が減少し、テーブルボックスの搬送の間に望まれないオブジェクトがコンパートメントの中に入り込むことが防止される。
【００７４】
トランスポートボックス、インサート、蓋、及びコンパートメントの上述の実施形態の特徴は、更なる実施形態と設計に到達するために組み合わせることができる。
【００７５】
本発明に係るトランスポートボックスは、幾つかの異なるブランク（その例は以下で示される）から構成してもよく、又は、一部の実施形態では、再利用するための一体型ユニットとして形作ってもよい。
【００７６】
したがって、トランスポートボックスは、有利には、折り線を介して相互接続される複数のパネルを備える第１ブランクから形成されてもよい。
【００７７】
本発明のトランスポートボックスのためのパネルは、
‐  ２つの側壁パネルのうちの１つを介して前壁パネルに接続される後壁パネル、
‐  ２つの側壁パネルのうちのいずれかのパネルの１つの側面から延在する蓋部パネル、及び
‐  ２つの側壁パネルのうちのいずれかのパネルの対応する対向側面から延在する少なくとも１つの底部壁パネル
を備えてもよい。
【００７８】
このようなブランクは、保管されたときにあまり場所をとらず、使用する前又は使用する直前の適当な時に、トランスポートボックスの三次元形状となるように折り曲げることができる。一旦トランスポートボックスが使用されると、廃棄のため、又は汚れていない場合は再利用のため、再び折り曲げて平らな構造に戻すことができる。
【００７９】
蓋部パネルは、トランスポートボックスの変形状態においてラップトレイとしてトレイ機能の役割を果たす少なくとも２つの対向するトレイパネルと、トランスポートボックスの搬送状態において取っ手機能の役割を果たす少なくとも２つの取っ手壁パネルとを備えてもよい。
【００８０】
一実施形態では、少なくとも２つの対向するトレイパネルは、それぞれ取っ手壁パネル含み、それにより、空間における配置と位置によって、同じ蓋部パネルが取っ手とラップトレイの両方として利用され、結果として二重機能を有する。この実施形態では、トレイパネルは、トランスポートボックスの第１蓋部及び第２蓋部のそれぞれである。
【００８１】
トランスポートボックスの第１の実施形態のための第１ブランクは、より具体的には、
‐  後壁パネルに接続される第１側壁パネル、
‐  第１側壁パネルに対向して、後壁パネルに接続される第２側壁パネル、
‐  第１側壁パネルに接続される第１底部壁パネル、
‐  第２側壁パネルに接続される第２底部壁パネル、
‐  第１底部壁パネルに対向して、第１側壁パネルに接続される第１蓋部パネルの第１上壁パネル、
‐  第２底部壁パネルに対向して、第２側壁パネルに接続される第２蓋部パネルの第２上壁パネル、
‐  第１側壁パネルに対向して、第１上壁パネルに接続される第１蓋部パネルの第１取っ手壁パネル、
‐  第２側壁パネルに対向して、第２上壁パネルに接続される第２蓋部パネルの第２取っ手壁パネル、及び
‐  後壁パネルに対向して、第１側壁パネルに接続される前壁パネル
を備える。
【００８２】
この特定の実施形態では、第１上壁パネル及び第１取っ手壁パネルが、トランスポートボックスの上述の第１蓋部を画定し、第２上壁パネル及び第２取っ手壁パネルが、トランスポートボックスの第２蓋部を画定し、結果としてそれぞれのトレイパネルを更に画定される。
【００８３】
上壁パネル及び取っ手壁パネルは、トランスポートボックスの搬送状態において、コンパートメントの開口部を少なくとも部分的に閉じるという目的を果たし、その実施例は、図面に関連してより詳細に説明される。
【００８４】
搬送状態及び変形状態において、第１ブランクのパネルは、本発明のトランスポートボックスとなるように折り曲げられている。
【００８５】
折り曲げられた第１ブランクのこの実施形態では、第１蓋部及び第２蓋部は、搬送状態で取っ手となるとき、コンパートメントから相当突出する。ある人にとっては、これは不便かもしれない。
【００８６】
第１ブランクの第２実施形態では、取っ手の役割を果たす２つの追加の蓋部パネル、すなわち、トランスポートボックスの第３蓋部である第３蓋部パネルと、トランスポートボックスの第４蓋部である第４蓋部パネルとを提供することによって、搬送状態における取っ手の背の高さという問題が改善される。このような実施形態では、取っ手壁パネルは、トレイパネルに含まれない。トレイパネルは、側壁パネルから延在する別々の蓋部パネルである。
【００８７】
第１ブランクの第２実施形態をより具体的に説明すると、第１ブランクは、
‐  第１側壁パネルと第２側壁パネルとの間に挿入される前壁パネル、
‐  前壁パネルに対向して、第２側壁パネルに接続される後壁パネル、
‐  第１側壁パネルに接続される第１底部壁パネル、
‐  第２側壁パネルに接続される第２底部壁パネル、
‐  第１底部壁パネルに対向して、第１側壁パネルに接続される第１蓋部パネル、
‐  第２底部壁パネルに対向して、第２側壁パネルに接続される第２蓋部パネル
‐  第３底部壁パネルに対向して、後壁パネルに接続される第３蓋部パネル、及び
‐  第４底部壁パネルに対向して、前壁パネルに接続される第４蓋部パネル
を備える。
【００８８】
したがって、本発明では、第１ブランクの第２実施形態も提示されているが、
第１ブランクの他の実施形態が本発明の範囲内で意図されていることを強調したい。第１の実施形態及び第２実施形態は例示であり、本発明を限定するものと解釈するべきではない。
【００８９】
トランスポートボックスの三次元形状を確保するため、いずれかのパネルに適切な接続手段を設けてもよい。
【００９０】
第１ブランクの第１の実施形態では、
‐  第１底部壁パネル及び第２底部壁パネルは、それぞれの底部壁パネルを互いに接続するため、第１接続手段が設けられてもよく、
‐  前壁パネル及び第２側壁パネルは、前壁パネルを第２側壁パネルに接続するため、第２接続手段が設けられてもよく、
‐  第１上壁パネル及び第２上壁パネル並びに前壁パネルは、第１上壁パネル及び第２上壁パネルを前壁パネルに着脱自在に接続するため、第３接続手段が設けられてもよく、並びに
‐  第１取っ手壁パネル及び第２取っ手壁パネルは、第１取っ手壁パネルと第２取っ手壁パネルとを互いに着脱自在に接続するため、第４接続手段が設けられてもよい。
【００９１】
変形状態において、図面で示されるようにラップトレイの役割を果たすため、第１ブランクを部分的に開くことができるため、第３接続手段及び第４接続手段は使用されない。
【００９２】
第１ブランクの更なる代替的な実施形態では、底部は、単一のパネルであってもよい。例えば、第１底部壁パネル及び第２底部壁パネルは、単一の底部壁パネルと交換することができる。第１接続手段が単一の底部壁パネル及び第２側壁パネルの上に設けられ、単一の底部壁パネルが第１側壁パネルに接続されるか、又は、第１接続手段が単一の底部壁パネル及び第１側壁パネルの上に設けられ、単一の底部壁パネルが第２側壁パネルに接続される。
【００９３】
４つの接続手段の好適な実施形態が、図面に関連して更に説明される。しかしながら、他の又は追加の種類の接続手段（例えば、接着剤、糊、マジックテープ、又はスナップ嵌め構造であってもよい）を使用してもよい。しかしながら、少なくとも第３接続手段及び第４接続手段が、着脱自在な種類の接続を提供することが好ましい又は必要である。
【００９４】
第１ブランクの第１の実施形態に関しては、前壁パネルは、第１側壁パネルに接続される代わりに、後壁パネルに対向して第２側壁パネルに接続されてもよい。この場合、第２接続手段が前壁パネルを第１側壁パネルに接続する。
【００９５】
第１ブランクの一実施形態では、蓋部パネルのうちの少なくとも１つが、少なくとも１つのリムパネルを備える。
【００９６】
トランスポートボックスの変形状態において、オブジェクトが第１蓋部及び第２蓋部（上壁パネル及び取っ手壁パネルによって画定される）のうちの１つ又はその両方から滑り落ちることを防ぐために、第１蓋部パネルの第１取っ手壁パネル及び第２蓋部パネルの第２取っ手壁パネルのうちの少なくとも１つは、有利には、
‐  上壁パネルに対向して、取っ手壁パネルに接続される第１リムパネル、
‐  取っ手壁パネルに対向して、第１リムパネルに接続される第２リムパネル、
‐  取っ手壁パネルの対向する側端に接続される第３リムパネル及び第４リムパネル、
‐  第３リムパネル及び第４リムパネルそれぞれに接続される第１折込タブ（ｔｕｃｋ−ｉｎ  ｔａｂ）及び第２折込タブを備え、
‐  第２リムパネル及び取っ手壁パネルは、第１リムパネル、第２リムパネル、第３リムパネル、第４リムパネル、第１折込タブ、及び第２折込タブを取っ手壁パネルから延在するリムへと着脱自在に組み立てるための手段が設けられる。
【００９７】
第１リムパネル及び第２リムパネルは、折り曲げられて組み立てられるとき、好ましくは実質的に平行に配向されてもよい。２つの折込タブを、第１リムパネルと第２リムパネルとの間に折り込んでもよく、それにより、第１リムパネル、第２リムパネル、第３リムパネル、及び第４リムパネルが途中で断続しないリムを形成する。リムパネル及び折込タブをリムへと着脱自在に組み立てる手段は、取っ手壁パネル内の対応する形状の切欠き穴と組み合わさるため、第２リムパネル上に設けられる小さなフラップなどであってもよい。ただし、接着剤、糊、マジックテープ、又はスナップ嵌め構造などの他の着脱自在な組み立て手段も使用してもよい。
【００９８】
好ましくは途中で断続しないリムは、取っ手壁パネルが上壁パネルに接続される端部以外の、取っ手壁パネルのすべての端部に沿って延在することができる。
【００９９】
トランスポートボックスを運ぶことを容易にするため、第１取っ手壁パネル及び第２取っ手壁パネルのうちの少なくとも１つは、ヒンジフラップを有する開口部を備えてもよい。このヒンジフラップは、前記開口部を覆うように適合される。
【０１００】
ヒンジフラップは、好ましくは、第１リムパネルに接続される取っ手壁パネルの端部から適当な距離において、取っ手壁パネルの材料内に切り口及び折り線を作ることによって作られる。これは、フラップと取っ手壁パネルとの間の摩擦により、フラップを取っ手壁パネルの平面において閉位置に保つことができることを意味する。
【０１０１】
好ましくは、両方の取っ手壁パネルがヒンジフラップを有する開口部を備え、前記２つの開口部は、トランスポートボックスの搬送状態において、互いに対向するように配置される。
【０１０２】
開口部及び関連するヒンジフラップを第３蓋部パネル及び第４蓋部パネルに設けてもよい。任意選択的に、トランスポートボックスが搬送状態にあるとき、対向する蓋部パネルのヒンジフラップと係合するため、一方のヒンジフラップを取り除いて開口部を開放してもよい。
【０１０３】
第１蓋部パネル及び第２蓋部パネルのうちの少なくとも１つが、対応する上壁パネルを有しない場合があり、及び／又は、第１蓋部パネル及び第２蓋部パネルのうちの１つのみが、少なくとも１つのリムパネルを有する場合がある。
【０１０４】
トランスポートボックスの幾つかの実施形態では、幾つかのパネル及び／又は接続手段を互いに糊付けしてもよい。この場合、トランスポートボックスを、完全に開いて第１ブランクに戻す代わりに、平らな状態に折り畳むことができる。
【０１０５】
トランスポートボックスのインサートは、有利には、底部又は折り曲げられた第１ブランクからつくられたコンパートメントの平断面と実質的に同じ形状及び寸法を有する上壁パネルと、任意選択的に開口部が設けられる上壁パネルに折り線を介して接続される少なくとも１つの支持パネルとを備える第２ブランクから形成される。ここで言う「コンパートメントの平断面」とは、底部に対して平行な平面における断面を意味する。
【０１０６】
一実施形態では、第２ブランクの上壁は、折り線を介して上壁の４つの端部それぞれに接続される少なくとも１つの支持壁を有する。
【０１０７】
糊付けを使わない第１ブランクの実施形態のように、第２ブランクは、使用する構成となるように折り曲げることができ、ブランク構成へと戻すことができる。
【０１０８】
第２ブランクから形成されるインサートの利点は、上述のインサートの利点と同じである。すなわち、インサートは、コンパートメントの底部から間隔を置いたところに上壁が配置される位置において、コンパートメント内に配置されてもよく、且つ少なくとも１つの開口部が設けられる。
【０１０９】
トランスポートボックス、インサート、第１ブランク、及び／又は第２ブランクは、好ましくは、厚紙、カートン、又は紙などの折り曲げ可能な材料から作られるが、例えば、プラスチック、金属、又は発泡材などの別の種類の折り曲げ可能な材料から作ることもできる。ブランクは便利に穴を開けることができ、折り線は、くぼみ、線、又は型押部によってブランクで示される。
【０１１０】
折り曲げ可能な材料の厚みは、好ましくは、容易に折り曲げることができるように選択される。折り曲げ可能な材料は、好ましくは安価であり、保管中、完全に開いた状態又は折り畳まれた状態では多くの場所をとらないが、この材料は、同時に十分な剛性を有し、それにより、トランスポートボックス及びラップトレイの望ましい形状を保つことができる。
【０１１１】
折り線の刻み込み、型押し加工、押圧技術など任意の従来技法を使用して、第１ブランク及び第２ブランクの折り線が設けられ、それにより、壁パネルを互いに対して折り曲げるか、又は回動させることが可能になる。折り線は、好ましくは、トランスポートボックスがビルトイン能力を有するように作られ、それにより、トランスポートボックスの搬送状態及び変形状態の三次元構成が実現する。
【０１１２】
ブランクの状態において、第１ブランク及び第２ブランクは、場所を節約し且つコスト効率の良い態様で保管及び搬送することができ、そして使用するときには、その場でトランスポートボックス及びインサートとなるように折り曲げる。
【０１１３】
本発明は、更に、上述の第１ブランクを、変形可能なトランスポートボックスに変換させる方法に関する。このトランスポートボックスは、必要に応じて、折り曲げたり、開いたりすることができ、代替的には、必要に応じて、折り畳んだり、組み立てたりすることができる。
【０１１４】
本発明の方法は、
‐  パネルを接続する折り線に沿って本発明の任意の第１ブランクの前記パネルを折り曲げるステップと、
‐  限定しないが、接着剤及び／又は糊を含む、任意の接続手段の中から選択される１つ又は複数の組み立て手段を使用して、第１ブランクのパネルを、蓋を有する三次元のトランスポートボックスなるように接合するステップとを含む。
【０１１５】
底部が幾つかの底部壁パネルから構成される場合、これらの底部壁パネルは、例えば、実質的に台形又は等脚台形の形状となるように適切に折り曲げることによって、容易に接合することができ、それにより、後端壁が前端壁よりも短いトランスポートボックスの底部が形成される。
【０１１６】
第１ブランク及び／又は第２ブランクのパネルを完全に着脱自在な態様又は部分的に着脱自在な態様で接合してもよく、それにより、トランスポートボックス及びラップトレイとして使用する前か後に、三次元のトランスポートボックス及び／又はインサートの接合されたパネルを、第１／第２ブランク又は第１／第２ブランクの折り畳んだ状態に変換することが可能になる。
【０１１７】
本発明に係るトランスポートボックスの第１の実施形態の使用にあたって、第１蓋部パネル及び第２蓋部パネルは、トランスポートボックスの変形状態においてトレイ、及び搬送状態において直立型の取っ手を構成する。
【０１１８】
本発明に係るトランスポートボックスの第２の実施形態の使用にあたって、第１蓋部パネル及び第２蓋部パネルは、トランスポートボックスの変形状態においてトレイを構成し、第３蓋部パネル及び第４蓋部パネルは、搬送状態において取っ手を構成する。この実施形態では、第１蓋部パネル及び第２蓋部パネルは、重なり合うように折り曲げられ、少なくとも搬送状態においてコンパートメントの開口部を覆い、搬送状態においては、第３蓋部パネル及び第４蓋部パネルは、第１蓋部パネル及び第２蓋部に覆いかぶさる、突出する取っ手となるように組み合わされる。
【０１１９】
第１ブランク及び／又は第２ブランクの設計に関係なく、トランスポートボックスは、搬送状態において、食物及び／又は飲料コップなどの１つ又は複数のオブジェクトを搬送するための、目的にかなった閉じたコンパートメント及び取っ手を画定し、変形状態において、くさび形状のコンパートメントが座している人の大腿部の間の間隔などの下位表面上に位置するときにオブジェクトを置くためのラップトレイを画定する。
【０１２０】
本発明のトランスポートボックスは、更に、自動車、バス、又は電車などの移動車両の中でラップトレイとして使用することに適している。
【０１２１】
蓋部の形状／寸法、コンパートメントの２つの対向する側壁の間の距離、及びコンパートメントの側壁の高さは、平均的な大人に適合させる代わりに、例えば、平均的な子供に適合させることができる。
【０１２２】
したがって、幾つかのサイズが好まれる場合があるが、本発明のトランスポートボックスは、どんなサイズにも限定されない。側壁は、多くの大腿部の厚み及び人に適合するために任意の適切なサイズと湾曲を有してもよく、後端と前端との間の距離は適度な長さでよく、コンパートメントのテーパの度合い、すなわち、側壁の分岐の度合いは、特定のユーザ群又は特定の目的のために調整してもよい。
【０１２３】
コンパートメントの側壁の外表面とユーザの大腿部との間の摩擦を増加させるは、例えば、摩擦能力をもつ材料の層を備える外表面の少なくとも一部を提供すればよい。
【図面の簡単な説明】
【０１２４】
本発明は、以下でより詳細に説明され、図面を参照して、本発明に係る、トランスポートボックス、インサート、第１ブランク、及び第２ブランクの例示的実施形態が説明される。
【０１２５】
【図１】短い後壁から全体的に見たときの、搬送状態における本発明に係るトランスポートボックスの第１の実施形態を示す。
【図２】上記のトランスポートボックスをラップトレイとしての変形状態で示す。
【図３】短い後壁から全体的に見たときの、本発明に係るトランスポートボックス用のインサートの１つの実施形態を示す。
【図４】短い後壁から全体的に見たときの、本発明に係るトランスポートボックス用のインサートの別の実施形態を示す。
【図５】短い後壁から全体的に見たときの、図２のトランスポートボックス及び図３のインサートを示し、インサートがコンパートメントの中に配置されている。
【図６】本発明に係る第１ブランクの第１の実施形態を示す。
【図７】本発明に係る第２ブランクを示す。
【図８】短い後壁から全体的に見たときの、搬送状態における本発明に係るトランスポートボックスの第２の実施形態を示す。
【図９】上記のトランスポートボックスをラップトレイとしての変形状態で示す。
【図１０】本発明に係る第１ブランクの第２の実施形態を示す。
【図１１】全体的に見たときの、搬送状態における本発明に係るテーブルボックスの修正された実施形態を示す。
【０１２６】
本発明は、コンパートメントが位置する水平面に関して見た場合、コンパートメントの側壁が垂直配置を有し、コンパートメントの水平断面が等脚台形の形状を有し、及び蓋部のリムが対応する蓋部に対して垂直配置を有することを前提として、図面を通して説明される。しかしながら、本発明全体の意図されている技術効果をもたらすことができる、側壁の他の配置、互いに対する側壁のテーパの度合い、コンパートメント及び底部の水平断面の他の形状、並びに／或いは蓋部のリムの他の配置は、本発明の範囲内に含まれることが意図されている。
【０１２７】
本発明は、トランスポートボックスが食物及び飲料コップを搬送するためのものであることを前提として、図面を通して更に説明される。しかしながら、他の種類のオブジェクトも本発明のトランスポートボックスで搬送することができる。
【発明を実施するための形態】
【０１２８】
図１は、コンパートメント２及び蓋３を有するトランスポートボックス１の第１の実施形態を示す。後壁４、前壁５、第１側壁６ａ、第２側壁６ｂ、及びコンパートメント２のテーパ状の底部７の形状と相互位置は、その断面の等脚台形形状を画定する。底部７の後壁端部４９は、底部７の前壁端部４７より短い。
【０１２９】
蓋３は、第１側壁６ａの上端１０からヒンジ的及び回動可能に延在する第１蓋部８、及び第２側壁６ｂの上端１１からヒンジ的及び回動可能に延在する、対向する第２蓋部９を有する。
【０１３０】
第１蓋部８及び第２蓋部９は、図２に関連してより詳細に説明される。しかしながら、図１で示されるように、蓋部８、９は、ユーザが掴めることによってトランスポートボックス１の第１の実施形態を便利に運ぶことができる直立型の取っ手１２（第１蓋部８の直立部分は図１では見えない）に向かって延在し、且つ直立型の取っ手１２を画定する。第２蓋部９は、その揺動フラップ１５が第２蓋部９の内側端１６からヒンジ的に延在し、且つ揺動フラップ１５の開位置と閉位置の間の位置にあるように示される。
【０１３１】
図２は、変形状態のトランスポートボックス１を示し、ユーザは、コンパートメント２の開口部１７を介して、コンパートメント２内に配置される食物（図示せず）などのオブジェクトに対してアクセスを有する。第１蓋部８及び第２蓋部９が、互いから離れるようにして折り曲がるか、又は回動するときにこのアクセスが得られる。
【０１３２】
第１蓋部８の上壁１８及び取っ手壁（ｈａｎｄｌｅ  ｗａｌｌ）２０、並びに第２蓋部９の上壁１９及び取っ手壁２１は、実質的に水平な配置で示され、それにより、コンパートメント２との組み合わせでラップトレイの役割を果たすことができる。
【０１３３】
変形状態において、コンパートメント２は、座しているユーザの大腿部の間に配置される（任意選択的にユーザの大腿部によって保持される）ことが意図されており、それに伴って、後壁４は、ユーザの股に接触、又は少なくとも近くに位置し、第１蓋部８は、座しているユーザの左側の大腿部の上に延在し、第２蓋部９は、座しているユーザの右側の大腿部の上に延在する。
【０１３４】
第１蓋部８は、第１側壁６ａの上端１０からヒンジ的に延在する第１上壁１８、第１上壁１８の内側端２２から延在する第１取っ手壁２０、第１取っ手壁２０の自由端２６から延在する直立リム２４ａ、第１上壁１８の前端２８からヒンジ的に延在する直立リム２４ｂ、及び第１取っ手壁２０の内側端１４からヒンジ的に延在する第１揺動フラップ１３を有する。
【０１３５】
第２蓋部９は、対応するように、第２側壁６ａの上端１１からヒンジ的に延在する第２上壁１９、第２上壁１９の内側端２３から延在する第２取っ手壁２１、第２取っ手壁２１の自由端２７から延在する直立リム２５ａ、第２上壁１９の前端２９からヒンジ的に延在する直立リム２５ｂ、及び第２取っ手壁２１の内側端１６（図示せず）からヒンジ的に延在する第２揺動フラップ１５を有する。
【０１３６】
図６に関連して説明されるように、取っ手壁２０、２１の直立リム２４ａ、２５ｂは、取っ手壁２０、２１に対してほぼ９０度の内角αで配置される。上壁１８、１９の直立リム２４ｂ、２５ｂは、上壁１８、１９に対して折れ曲がることができるが、意図されている三次元形態をとる材料のビルトイン能力のゆえに、上壁１８、１９に対してほぼ９０度の（又は９０度に近い）内角αをもつ。折り曲げ特性を例示するために、上壁１８、１９の直立リム２４ｂ、２５ｂは、上壁１８、１９に対して、意図された９０度の内角をもつようには示されていない。
【０１３７】
揺動フラップ１３、１５は、閉位置で示され、取っ手壁２０、２１の表面と平行である。
【０１３８】
図３は、コンパートメント２の開口部１７を介してコンパートメント２の底部に配置することができるインサート３０の第１の実施形態を示す。インサート３０は、例えば飲料コップを保持するための円形の開口部３３を有する上壁３２からヒンジ的に延在する４つの支持部材３１ａ、３１ｂ、３１ｃ、３１ｄ（支持壁の形態で示される）を有する。上壁３２の端は、後壁４、前壁５、及びコンパートメント２の側壁６ａ、６ｂに接触することが意図されている。
【０１３９】
インサートがコンパートメント内に配置されるとき、上壁３２に対する４つの支持体部材３１ａ、３１ｂ、３１ｃ、３１ｄのそれぞれの意図される角度は９０度である。図３では、例示のためにのみこの角度が示されない。しかしながら、この意図される角度によって、上壁３２がコンパートメント２の底部から引き上げられ、インサート３０が、コンパートメント２の底部上に安定的に置かれてもよく、又は、コンパートメントの内表面と摩擦係合してもよいことが容易に理解されよう。
【０１４０】
第１の支持部材３１ｂと第２の支持部材３１ｄの高さが、円形の開口部３３が位置する上壁３２の端部に向かって増加し、後ろの支持部材３１ａの高さが、前の支持部材３１ｃ（図６でより明瞭に示される）の高さよりも高いことに留意されたい。このように支持部材３１ａ、３１ｂ、３１ｃ、３１ｄの高さが異なることによって、上壁３２が傾斜し、それにより、例えば、トランスポートボックス１をあちこち移動させるとき、上壁３２上に位置する食物又は他のオブジェクトは、飲料コップから離れる傾向にある。例えば、典型的に冷たい飲料コップと任意の暖かい食物との間の任意の熱伝達を最小限にするためには、飲料コップを食物／オブジェクトから分離することが望ましい。
【０１４１】
図４は、支持部材３１ａ’、３１ｂ’、３１ｃ’、３１ｄ’が同じ高さを有するインサート３０’の代替的な実施形態を示す。
【０１４２】
図５は、図１で示されるトランスポートボックス１のコンパートメント２の内部に配置される図３のインサート３０を示し、支持部材３１ａ、３１ｂ、３１ｃ、３１ｄは、コンパートメント２の底部の上に置かれる。
【０１４３】
図４及び図５で示される第１及び第２ブランク３４、１０２の以下の説明で使用される「左」、「右」、「前」、「上」、「底」という語は、図１及び図２で示されるように折り曲げられたときの第１及び第２ブランク３４、１０２の配向を指し示す。
【０１４４】
図６は、折り畳まれておらず、且つ平らな状態にある第１ブランク３４を示す。ブランクをトランスポートボックスに変換することを読み解き、理解することを容易にするために、三次元状態おける壁であろうと、ブランクの状態における壁パネルであろうと、可能な限り、同じ部分に対して同じ参照番号が使用される。第１側壁６ａ及び第２側壁６ｂは、対向する１番目の折り線３５と２番目の折り線３６のそれぞれを介して、パネルとして後壁パネル４へと延在する。前壁パネル５は、第３の折り線３７を介して、第１側壁パネル６ａへと延在する。
【０１４５】
第１底部壁パネル３８は、４番目の折り線４０を介して第１側壁パネル６ａへと延在し、第２底部壁パネル３９は、５番目の折り線４１を介して第２側壁６ｂへと延在する。図６に示される実施形態では、第１接続手段は、第１底部壁３８の内端部４３から延在する３つの突出するフラップ４２ａ、４２ｂ、４３ｃ、及び、第２底部壁パネル３９の内端部４５から延在する４つの突出するフラップ４４ａ、４４ｂ、４４ｃ、４４ｄから成る。トランスポートボックス１を折り畳む際に２つの底部壁パネル３８、３９を一緒にするとき、フラップ４２ａ、４２ｂ、４３ｃ、４４ａ、４４ｂ、４４ｃ、４４ｄが微妙に上方に曲げられ、それにより、第１底部壁パネル３８のフラップ４２ａ、４２ｂ、４３ｃが第２底部壁パネル３９の上に重なるように、或いはその逆順で重なるように、フラップ４２ａ、４２ｂ、４３ｃ、４４ａ、４４ｂ、４４ｃ、４４ｄは配置される。このようにして、底部壁パネル３８、３９は、組み合わさるようにして互いに係合することができる。
【０１４６】
第１ブランク３４は、６番目の折り線４７を介して後壁パネル４へと延在する後底部壁パネル４６、及び７番目の折り線４９を介して前壁パネル５へと延在する前底部壁パネル４８を有する。トランスポートボックス１の折り曲がった状態において、後底部壁パネル４６及び前底部壁パネル４８は、第１底部壁３８及び第２底部壁３９の上に配置される。このことによって、折り曲がった状態において、第１／第２の底部壁３８、３９と後／前壁４、５との間に間隔が生じないという効果があり、これにより、例えば、後壁４又は前壁５に沿って、及び後／前壁と底部壁３８、３９との間の任意の小さな間隔を通って、液状食物が流れ落ちることが抑えられる。
【０１４７】
図６に示される実施形態では、第２接続手段は、８番目の折り線５１を介して前壁パネル５から延在するフラップ５０、第２側壁パネル６ｂの前面上の９番目の線５３を介して第２側壁パネル６ｂから延在するフラップ５２、及び第２側壁パネル６ｂから１０番目の折り線５５を介してヒンジ的に延在するフラップ５４から成る。フラップ５４は、図６で示されるように、第２側壁７の一部とフラップ５２の一部においてＵ字形状の切り口５６を切り出すことによって作られる。
【０１４８】
上述のように底部壁パネル３８、３９が接続された後、フラップ５２が、折り曲がった状態の前壁５と平行な角度に曲げられ、フラップ５０が、フラップ５２においてつくった切り口５６ａ、５６ｂによってつくられたスリットに挿入され、次いで、フラップ５４が、フラップ５０においてつくった切り口５７によってつくられたスリットの中へと曲げられる。このようにして、前壁５及び第２側壁パネル６ｂが、互いに着脱自在に接続される。
【０１４９】
フラップ５８は、１１番目の折り線５９を介して前壁パネル５へと延在し、２つの切欠き穴６０、６１が設けられる。フラップ５８は、前壁パネル５と平行な位置へと内側に曲げられ、図６に示されるように、フラップ５８の穴６０、６１と対向配置される切欠き穴６２、６３が設けられる。
【０１５０】
第１上壁１８及び第２上壁１９は、それぞれ、１２番目の折り線１０ａを介して第１側壁パネル６ａへと延在し、１３番目の折り線１１ａを介して第２側壁パネル６ｂへと延在する。第１上壁パネル１８は、１４番目の折り線２８ａを介して第１フラップ６４へと延在し、第１フラップ６４は、１５番目の折り線６８を介して第２フラップ６６へと延在する。第２上壁パネル１９は、１６番目の折り線２９ａを介して第１フラップ６５へと延在し、第１フラップ６５は、１７番目の折り線６９を介して第２フラップ６７へと延在する。
【０１５１】
次の折り曲げステップは、第１上壁パネル１８及び第２上壁パネル１９をコンパートメント２の開口部１７の上に折り曲げ、左側の第２フラップ６６を左側の穴６０、６２に挿入し、右側の第２フラップ６７を右側の穴６１、６３に挿入することである。
【０１５２】
図６に示される実施形態では、第３接続手段は、第１フラップ６４、６５、第２フラップ６６、６７、及び切欠き穴６０、６１、６２、６３から成る。
【０１５３】
第１取っ手壁パネル２０及び第２取っ手壁パネル２１は、１８番目の折り線２２ａ及び１９番目の折れ線ａそれぞれを介して、第１上壁１８及び第２上壁１９からそれぞれ延在する。取っ手壁パネル２０、２１は、それぞれ、２０番目の折り線７２及び２１番目の折り線７３のそれぞれを介して取っ手壁２０、２１から延在する前フラップ７０、７１を有し、前フラップ７０、７１は、それぞれ、２２番目の折り線７６及び２３番目の折り線７７のそれぞれを介して前フラップ７０、７１から延在する折込タブ７４、７５を有する。更に、取っ手壁パネル２０、２１は、それぞれ、２４番目の折り線８０及び２５番目の折り線８１のそれぞれを介して取っ手壁パネル２０、２１から延在する後フラップ７８、７９を有し、後フラップ７８、７９は、それぞれ、２６番目の折り線８４及び２７番目の折り線８５のそれぞれを介して後フラップ７８、７９から延在する折込タブ８２、８３を有する。最後に、取っ手壁パネル２０、２１は、それぞれ、２８番目の折り線８８及び２９番目の折り線８９のそれぞれを介して取っ手壁２０、２１から延在する第１上フラップ８６、８７を有し、第２上フラップ９０、９１は、３０番目の折り線９２及び３１番目の折り線９３のそれぞれを介して第１上フラップ８６、８７のそれぞれから延在する。
【０１５４】
前フラップ７０及び後フラップ７８を取っ手壁パネル２０に対して直角な位置へと折り曲げ、折込タブ７４、８２を２８番目の折り線８８（そこから第１取っ手壁パネル２０が延在する）と平行な位置へと折り曲げることによって、第１取っ手壁２０の直立リム２４ａが得られる。第１に第１上フラップ８６を取っ手壁パネル２０と直角な位置へと折り曲げ、第２に第２上フラップ９０を第１フラップ８６と平行な位置へと折り曲げ、折込タブ７４、８２が、第１上フラップ８６と第２上フラップ９０との間に配置され、第３に第２上フラップ９０の小さなフラップ９４、９５を取っ手壁パネル２０内の対応する形状の切欠き穴９６、９７に挿入することによって、前フラップ７０、後フラップ７８、及び折込タブ７４、８２がこの位置に保たれる。このようにして、後フラップ７８、前フラップ７０、第１上フラップ８６、及び第２上フラップ９０が組み合わされ、図２及び図５に示される直立リム２４ａが形成される。
【０１５５】
後フラップ７９、前フラップ７１、第１フラップ８７、及び第２フラップ９１を折り曲げ、折込タブ７５、８３を折り曲げ、小さなフラップ９８、９９及び切欠き穴１００、１０１を用いてそれらを組み合わせることによって、第２取っ手壁２１の直立リム２５ａも同じように得られる。
【０１５６】
第１取っ手壁２０の長さＡ及び高さＣが、それぞれ第２取っ手壁２１の長さＢ及び高さＤよりも微妙に小さいため、トランスポートボックス１が搬送状態にあるとき、第１取っ手壁２０及びその直立リム２４ａは、第２取っ手壁２１及びその直立リム２５ａに適合することができる。これらの長さＡ、Ｂと高さＣ、Ｄは、直立リム２４ａ、２５ａの間に摩擦があるように適合され、この摩擦によって、第１取っ手壁２０と第２取っ手壁２１が一緒に保持され、それにより図１に示される直立型の取っ手１２が形成される。したがって、長さと高さの違いを有する直立リム２４ａ、２５ａは、図６に示される実施形態の第４接続手段を構成する。
【０１５７】
図７は、折り畳まれておらず、且つ平らな状態にある第２ブランク１０２を示す。上壁パネル３２は、円形の開口部３３を有し、各支持壁パネル３１ａ、３１ｂ、３１ｃ、３１ｄは、それぞれの上方折り線１０３、１０４、１０５、１０６を介して上壁３２から延在する。
【０１５８】
図８及び図９は、本発明に係る、トランスポートボックス１’の第２実施形態を示す。
【０１５９】
トランスポートボックス１’の第２実施形態は、コンパートメント２’及び蓋３’を有する。コンパートメント２’の後壁４’、前壁５’、第１側壁６ａ’、第２側壁６ｂ’、及びテーパ状の底部７’の形状と相互の位置によって、台形の開口部１７’を有するくさび形状のコンパートメント２’が画定される。底部７’の後壁端部４７’は、底部７’の前壁端部４９’よりも短い。このコンパートメント２’は、ユーザが座る表面上でユーザの大腿部間に容易に配置することができる。図９では、底部７’と第１側壁６ａ’との間の内角βが示される。
【０１６０】
第１蓋部８’は、第１の実施形態のトランスポートボックス１に似たような態様で、第１側壁６ａ’の上端１０’から回動可能に延在し、第２蓋部９’は、上端１１’を介して、対向する第２側壁６ｂ’から回動可能に延在し、それによって、これらの対向する第１蓋部８’と第２蓋部９’が、互いから離れるようにして折り曲がるか、又は回動して、ラップトレイをつくることができ、結果として、トランスポートボックス１’の変形状態が得られる。
【０１６１】
トランスポートボックス１’の第２実施形態では、取っ手壁に延在する上壁がない。その代わりに、後壁４’の上端１０８から回動可能に延在する第３蓋部１０７と、前壁５’の上端１１０から回動可能に延在する第４蓋部１０９とが設けられる。
【０１６２】
第３蓋部１０７は、上端１０８から離れた取っ手開口部１１２の外周にヒンジ的に接続される揺動フラップ１１３が設けられる取っ手開口部（ｈａｎｄｌｅ  ｏｐｅｎｉｎｇ）１１２を有する第１の自由取っ手端部（ｆｉｒｓｔ  ｆｒｅｅ  ｈａｎｄｌｅ  ｅｎｄ）１１１を有する。
【０１６３】
第４蓋部１０９は、取っ手開口部１１５を有する当該の第２の自由取っ手端部１１４を有するが、フラップを有しない。
【０１６４】
少なくとも搬送状態において、第１取っ手端部１１１及び第２取っ手端部１１４の直立配向を得るためには、第３蓋部１０７及び第４蓋部１０９は、３２番の折り線１２４及び３３番の折り線１２５がそれぞれ設けられる。変形状態において、更に第３蓋部１０７を座しているユーザのズボンの腰部に留めることができる。３２番折り線１２４及び３３番折り線１２５によって、更に、第１取っ手端部１１１及び第２取っ手端部１１４が、搬送状態においては蓋３’に向かって折れ曲がる／回動する位置へと折れ曲がる又は回動することができるという効果がもたらされ、それにより、蓋３’が閉まっているとき、例えば、搬送されている間、複数のトランスポートボックスを互いに重なり合うように積み上げることができる。
【０１６５】
第２実施形態１’では、第１蓋部８’のみが、第１蓋部８’の自由端部２６’から延在する直立リム２４ａ’を有する。図９では、直立リム２４ａ’と第１蓋部８’の間の内角αが示される。リム２４ａ’の設計は、トランスポートボックス１の第１の実施形態の直立リム２４ａに実質的に対応するため、ここではこの設計に関してこれ以上言及しない。しかしながら、トランスポートボックス１’の第２実施形態の搬送状態においては、リム２４ａ’の使用の仕方が異なる。
【０１６６】
トランスポートボックス１’の第２実施形態が図８に示される搬送状態に閉じられるとき、まず第１蓋部８’がコンパートメント２’の中へと回動し、それにより、そのリム２４ａ’が、コンパートメント２’の内表面に係合するか、又は前記コンパートメント２’の空洞の内部に少なくとも面する。次に、第２蓋部９’が第１蓋部８’の上面に回動し、最後に、それぞれの取っ手端部１１１、１１４の取っ手開口部１１２、１１５が互いに面するように、対向する第３蓋部１０７と第４蓋部１０９が、上方で互いに近接するように回動し、第３蓋部１０７が第４蓋部１０９と組み合わされるように、第３蓋部１０７のヒンジフラップ１１３が、第２の取っ手開口部１１５の内部へと回動することができ、それにより、第１蓋部８’と第２蓋部９’とが保持され、図８で見られるように、搬送中に開口部１７’が覆われる。
【０１６７】
図１０は、折り畳まれておらず、且つ平らな状態にある第１ブランク３４’の第２の実施形態を示す。ブランクをトランスポートボックスに変換することを読み解き、理解することを容易にするために、三次元状態おける壁であろうと、ブランクの状態における壁パネルであろうと、可能な限り、同じ部分に対して同じ参照番号が使用される。第１側壁パネル６ａ’及び第２側壁パネル６ｂ’は、対向する３４番目の折り線１１６と３５番目の第２の折り線１１７のそれぞれを介して、パネルとして前壁パネル５’へと延在する。後壁パネル４’は、３６番目の折り線１１８を介して、第２側壁パネル６ｂ’へと延在する。
【０１６８】
第１底部壁パネル３８’及び第２底部壁パネル３９’は、３７番目の折り線４０’及び３８番目の折り線４１’それぞれを介して、第１側壁パネル６ａ’及び第２側壁パネル６ｂ’それぞれへと延在する。後底部壁パネル４６’は、３９番目の折り線４７’を介して後壁パネル４’へと延在し、前底部壁パネル４８’は、４０番目の折り線４９’を介して前壁パネル５’へと延在する。
【０１６９】
側壁パネル６ａ’と６ｂ’、後壁パネル４’と前壁パネル５’、底部壁パネル３８’と３９’、後壁パネル４６’と前壁パネル４８’は、例えば糊などの手段によって組み合わさるように係合することができる。これは、例えば、以下のステップを踏むことによって得られる：
‐  前壁パネル４８’を第１底部壁パネル３８’の上に配置し、それらを互いに糊付けすること、
‐  後壁パネル４６’を前壁パネル４８’の上に配置すること、
‐  第２底部壁パネル３９’を後壁パネル４６’の上に配置すること、
‐  小さなフラップ１２１を第１側壁パネル６ａ’内の対応形状の切欠き穴１１２内に挿入することによって、第２底部壁パネル３９’を第１側壁パネル６ａ’と結合すること、そして最後に、
‐  第１側壁パネル６ａ’と後壁パネル４’から延在するフラップ５２’を互いに糊付けし、図８に示されるコンパートメント２’を形成すること。
【０１７０】
このようにして、図８に示されるコンパートメント２’が形成され、第１側壁パネル６ａ’とフラップ５２’が互いに糊付けされ、それにより、第１側壁パネル６ａ’の端部１２３と４１番目の折り線５３’が位置合わせされることに留意されたい。
【０１７１】
第１蓋部パネル８’は、４２番目の折り線１０ａ’を介して第１側壁パネル６ａ’へと延在し、第２蓋部パネル９’は、４３番目の折り線１１ａ’を介して第２側壁パネル６ｂ’へと延在する。
【０１７２】
第１蓋部パネル８’は、４４番目の折り線７２’を介して第１蓋部パネル８’から延在する後フラップ７０’を有する。後フラップ７０’は、４５番目の折り線７６’を介して後フラップ７０’から延在する折込タブ７４’を有する。第１蓋部パネル８’は、４６番目の折り線８０’を介して第１蓋部パネル８’から延在する前フラップ７８’を更に有する。前フラップ７８’は、４７番目の折り線８４’を介して前フラップ７８’から延在する折込タブ８２’を有する。最後に、第１蓋部パネル８’は、４８番目の折り線８８’を介して第１蓋部パネル８’から延在する第１上フラップ８６’を有し、第２上フラップ９０’が、４９番目の折り線９２’を介して第１上フラップ８６’から延在する。
【０１７３】
ブランク３４（図６）の第１の実施形態に関連して説明されたのと同じように、後フラップ７０’、前フラップ７８’、第１上フラップ８６’、及び第２上フラップ９０’を組み合わせるために、第２上フラップ９０’の小さなフラップ９４’、９５’及び第１蓋部パネル８’の切欠き穴９６’、９７’を用いて、フラップ７０’、７８’、８６’、９０’を折り曲げ、同じように折込タブ７４’、８４’を折り曲げて、図９で示されるリム２４ａ’が得られる。
【０１７４】
第３蓋部パネル１０７は、５０番目の折り線１２０を介して後壁パネル４’に延在し、３２番目の折り線１２４によって画定される第１の自由取っ手端部１１１を有する。第４蓋部パネル１０９は、５０番目の折り線１２０を介して前壁パネル５’に延在し、３３番目の折り線１２５によって画定される第２の自由取っ手端部１１４を有する。
【０１７５】
図８及び図９に関連して説明されるように、第１蓋部パネル８’、第２蓋部パネル９’、第３蓋部パネル１０７、及び第４蓋部パネル１０９の着脱自在なアセンブリが得られる。
【０１７６】
図１１は、テーブルボックス１’’の修正された実施形態を示す。コンパートメント２’’は、図１及び図８で示される実施形態と同じように構成され、対応する参照番号が対応する部分に対して使用される。蓋３’’は、第１側壁６ａ’’、第２側壁６ｂ’’、前壁５’’、及び後壁４’’の頂端からそれぞれ延在する第１蓋部１２６、第２蓋部１２７、第３蓋部１２８、及び第４蓋部１２９を有する。第１蓋部１２６の自由上面前部１３０及び第２蓋部１２７の自由上面前部１３１は、第４蓋部１２９の細長い突き抜けスリット（図示せず）を通って延在し、それにより、これらの３つの蓋部１２６、１２７、１２９が共に保持され、取っ手の役割を果たす。第１及び第２蓋部１２６、１２７の自由頂端１３２、１３３がそれぞれテーブルボックス１’’の全長にわたって接合されるように、湾曲した第１及び第２蓋部１２６、１２７が形成される。第３蓋部１２８は、水平位置において部分的にのみ視認することができ、コンパートメント２’’の開口部を覆う。
【０１７７】
本発明は、ラップトレイとして使用することができるトランスポートボックスの多様な選択肢を提示する。本発明は、製造業者とユーザの両方に対して、本発明の特徴を組み合わせ且つ変更する自由を大いに与え、それにより、ユーザフレードリーであって環境にやさしいトランスポートボックスが作成される。
【０１７８】
以上では第１ブランクのための２つの実施形態が示され且つ説明されたが、個々のパネルは折り線を介して種々の方法で接続され、次いで、三次元形状のトランスポートボックスに組み立てられる。第１ブランクの平らな構成を得るために、第１ブランクのパネルを別のパターンで構成できることを理解されたい。
【図１】
2016524573.tif 000003
【図２】
2016524573.tif 000004
【図３】
2016524573.tif 000005
【図４】
2016524573.tif 000006
【図５】
2016524573.tif 000007
【図６】
2016524573.tif 000008
【図７】
2016524573.tif 000009
【図８】
2016524573.tif 000010
【図９】
2016524573.tif 000011
【図１０】
2016524573.tif 000012
【図１１】
2016524573.tif 000013
【国際調査報告】
2016524573.tif 000014
2016524573.tif 000015
2016524573.tif 000016